(57)【要約】【課題】換気装置の電源投入時に給気ファンを突入電流から保護する。【解決手段】換気システム（S）は、給気ファン（26）及び排気ファン（25）をそれぞれが備えた第１換気装置（10a）及び第２換気装置（10b）と、各換気装置（10a,10b）の給気ファン（26）の給気上流側に配設されたブースタファン（1）と、各換気装置（10a,10b）及びブースタファン（1）の作動を制御するコントローラ（100）とを備えている。コントローラ（100）は、換気装置（10a,10b）の作動要求があったか否かを判定して、作動要求があった換気装置（10a,10b）の給気ファン（26）に作動信号を出力し、給気ファン（26）が作動した後にブースタファン（1）を作動させる。【選択図】図３
2011033329.tif 000002
【特許請求の範囲】
【請求項１】
室外空気を室内（30）に導入するための導入口（63）と、室内空気を室外（40）に排出するための排出口（67）と、該導入口（63）から室外空気を吸い込んで室内（30）に供給するＤＣモータ駆動の給気ファン（26）を有する換気装置（10）と、
該給気ファン（26）の給気上流側又は給気下流側に配設され、該給気ファン（26）による室外空気の吸い込み力を補助するブースタファン（1）と、を備えた換気システムであって、
上記換気装置（10）の作動要求があったときに、上記給気ファン（26）を作動させる換気制御部（101）と、
上記換気装置（10）が停止状態にある場合において、該換気装置（10）の作動要求があるまでは上記ブースタファン（1）を停止させる一方、該換気装置（10）の作動要求があったときには、上記換気制御部（101）が上記給気ファン（26）を作動させた以後に上記ブースタファン（1）を作動させるブースタファン制御部（102）と、を備えている
ことを特徴とする換気システム。
【請求項２】
請求項１記載の換気システムにおいて、
上記ブースタファン（1）と上記換気装置（10）の給気ファン（26）との間の空気通路（61,62）に配設され、該空気通路（61,62）を開閉するダンパ（60）と、
上記換気装置（10）が停止状態にある場合において、該換気装置（10）の作動要求があったときに、該作動要求時から、上記換気制御部（101）が該換気装置（10）の給気ファン（26）を作動させるまでの間、上記ダンパ（60）を閉状態に維持する一方、該給気ファン（26）の作動以後に上記ダンパ（60）を開状態に切り換えるダンパ制御部（103）と、を備えている
ことを特徴とする換気システム。
【請求項３】
室外空気を室内（30）に導入するための導入口（63）と、室内空気を室外（40）に排出するための排出口（67）と、該導入口（63）から室外空気を吸い込んで室内（30）に供給するＤＣモータ駆動の給気ファン（26）を有する複数の換気装置（10）と、
該各給気ファン（26）の給気上流側又は給気下流側に配設され、該各給気ファン（26）による室外空気の吸い込み力を補助するブースタファン（1）と、を備えた換気システムであって、
上記複数の換気装置（10）のうち作動要求があった換気装置（10）の給気ファン（26）を作動させる換気制御部（101）と、
上記複数の換気装置（10）のうち少なくとも一つが作動状態にある場合に、上記ブースタファン（1）を作動させるブースタファン制御部（102）と、を備え、
上記ブースタファン制御部（102）は、上記複数の換気装置（10）の一部が作動している場合に、停止状態にある換気装置（10）に対して作動要求があったときには、上記換気制御部（101）が、該作動要求があった換気装置（10）の給気ファン（26）を作動させる前に、上記ブースタファン（1）を一旦停止させ、該給気ファン（26）の作動以後に該ブースタファン（1）を再作動させるように構成されている
ことを特徴とする換気システム。
【請求項４】
室外空気を室内（30）に導入するための導入口（63）と、室内空気を室外（40）に排出するための排出口（67）と、室内空気を吸い込んで該排出口（67）から室外（40）へと排出するＤＣモータ駆動の排気ファン（25）を有する換気装置（10）と、
該排気ファン（25）の排気上流側又は排気下流側に配設され、該排気ファン（25）による室内空気の吸い込み力を補助するブースタファン（1）と、を備えた換気システムであって、
上記換気装置（10）の作動要求があったときに、上記排気ファン（25）を作動させる換気制御部（101）と、
上記換気装置（10）が停止状態にある場合において、該換気装置（10）の作動要求があるまでは上記ブースタファン（1）を停止させる一方、該換気装置（10）の作動要求があったときには、上記換気制御部（101）が上記排気ファン（25）を作動させた以後に上記ブースタファン（1）を作動させるブースタファン制御部（102）と、を備えている
ことを特徴とする換気システム。
【請求項５】
請求項４記載の換気システムにおいて、
上記ブースタファン（1）と上記換気装置（10）の排気ファン（25）との間の空気通路（61,62）に配設され、該空気通路（61,62）を開閉するダンパ（60）と、
上記換気装置（10）が停止状態にある場合において、該換気装置（10）の作動要求があったときに、該作動要求時から、上記換気制御部（101）が上記換気装置（10）の排気ファン（25）を作動させるまでの間、上記ダンパ（60）を閉状態に維持する一方、該排気ファン（25）の作動以後に上記ダンパ（60）を開状態に切り換えるダンパ制御部（103）と、を備えている
ことを特徴とする換気システム。
【請求項６】
室外空気を室内（30）に導入するための導入口（63）と、室内空気を室外（40）に排出するための排出口（67）と、室内空気を吸い込んで該排出口（67）から室外（40）へと排出するＤＣモータ駆動の排気ファン（25）を有する複数の換気装置（10）と、
該各排気ファン（25）の排気上流側又は排気下流側に配設され、該各排気ファン（25）による室内空気の吸い込み力を補助するブースタファン（1）と、を備えた換気システムであって、
上記複数の換気装置（10）のうち作動要求があった換気装置（10）の排気ファン（25）を作動させる換気制御部（101）と、
上記複数の換気装置（10）のうち少なくとも一つが作動状態にある場合に、上記ブースタファン（1）を作動させるブースタファン制御部（102）と、を備え、
上記ブースタファン制御部（102）は、上記複数の換気装置（10）の一部が作動している場合に、停止状態にある換気装置（10）に対して作動要求があったときには、上記換気制御部（101）が、該作動要求があった換気装置（10）の排気ファン（25）を作動させる前に、上記ブースタファン（1）を一旦停止させ、該排気ファン（25）の作動以後に該ブースタファン（1）を再作動させるように構成されている
ことを特徴とする換気システム。
【請求項７】
請求項２又は５記載の換気システムにおいて、
上記換気装置（10）は、室内空気を調湿して換気する調湿換気モードと、上記室内（30）の空気を調湿せずに換気する単純換気モードとに切り換える流路切り換え機構（83）を備え、
上記ダンパ（60）は、上記流路切り換え機構（83）を構成している
ことを特徴とする換気システム。
【発明の詳細な説明】
【技術分野】
【０００１】
本発明は、換気システムに関する技術分野に属する。
【背景技術】
【０００２】
従来より、室内空間の空気を排気ファンにより室外へ排出し、この排出した空気に相当する量の室外空気を給気ファンによって強制給気することで室内の換気を行うようにした換気装置は知られている。
【０００３】
この種の換気装置では、省エネ性を向上させるために様々な工夫がなされており、例えば、特許文献１に示すものでは、各ファンの駆動モータとして、消費電力の少ないＤＣモータを採用するようにしている。
【先行技術文献】
【特許文献】
【０００４】
【特許文献１】特開２００７−２８５５８４号公報
【発明の概要】
【発明が解決しようとする課題】
【０００５】
ところで、上述の特許文献１に示す換気装置を、例えば塩害地域等で使用する場合には、塩害対策として給気通路内に塩害フィルタを設置する必要がある。また、例えば、換気装置を建物内に複数設置する場合には、室外空気を各換気装置に導くための給気通路を複数に分岐させる必要がある。しかし、前者の場合には、室外空気が塩害フィルタを通過する際に圧力損失が発生し、また、後者の場合には、室外空気が給気通路内で分岐する際に圧力損失が発生してしまう。このため、いずれの場合においても、給気ファンの給気量を十分に確保することができないという問題がある。
【０００６】
そこで、給気ファンの吸い込み力を補助するために、給気ファンの上流側にブースタファンを設置することが考えられる。この場合、換気装置が停止状態にあるときに、ブースタファンが作動していると、ブースタファンが吸い込んだ室外空気の影響で給気ファンが空回りしてしまう。そして、この給気ファンが空回りしている状態で、換気装置の作動電源が投入されると、給気ファンを駆動するＤＣモータに大きな突入電流が流れるという問題がある。したがって、モータ保護の観点から改良の余地がある。
【０００７】
本発明は、斯かる点に鑑みてなされたものであり、その目的とするところは、ＤＣモータにより駆動される換気用ファンを備えた換気装置と、換気用ファンの換気能力を補助するブースタファンと、を備えた換気システムにおいて、換気装置の電源投入時に換気用ファンを突入電流から確実に保護しようとすることにある。
【課題を解決するための手段】
【０００８】
上記の目的を達成するために、第１の発明は、室外空気を室内（30）に導入するための導入口（63）と、室内空気を室外（40）に排出するための排出口（67）と、該導入口（63）から室外空気を吸い込んで室内（30）に供給するＤＣモータ駆動の給気ファン（26）を有する換気装置（10）と、該給気ファン（26）の給気上流側又は給気下流側に配設され、該給気ファン（26）による室外空気の吸い込み力を補助するブースタファン（1）と、を備えた換気システムを対象とする。
【０００９】
そして、上記第１の発明は、上記換気装置（10）の作動要求があったときに、上記給気ファン（26）を作動させる換気制御部（101）と、上記換気装置（10）が停止状態にある場合において、該換気装置（10）の作動要求があるまでは上記ブースタファン（1）を停止させる一方、該換気装置（10）の作動要求があったときには、上記換気制御部（101）が上記給気ファン（26）を作動させた以後に上記ブースタファン（1）を作動させるブースタファン制御部（102）と、を備えている。
【００１０】
第１の発明では、換気装置（10）が停止状態（給気ファン（26）が停止した状態）にある場合に、換気装置（10）の作動要求があったときには、給気ファンが作動して室内換気が行われる。そして、給気ファン（26）が作動した以後に、ブースタファン（1）が作動する。
【００１１】
第２の発明は、第１の発明において、上記ブースタファン（1）と上記換気装置（10）の給気ファン（26）との間の空気通路（61,62）に配設され、該空気通路（61,62）を開閉するダンパ（60）と、上記換気装置（10）が停止状態にある場合において、該換気装置（10）の作動要求があったときに、該作動要求時から、上記換気制御部（101）が該換気装置（10）の給気ファン（26）を作動させるまでの間、上記ダンパ（60）を閉状態に維持する一方、該給気ファン（26）の作動以後に上記ダンパ（60）を開状態に切り換えるダンパ制御部（103）と、を備えている。
【００１２】
第２の発明では、換気装置（10）が停止状態（給気ファン（26）が停止した状態）にある場合に、換気装置（10）の作動要求があったときには、該作動要求時から、換気制御部（101）が給気ファン（26）を作動させるまでの間、上記ダンパ（60）が閉状態に維持される。
【００１３】
一方、上記換気制御部（101）が給気ファン（26）を作動させた後は、ダンパ（60）が開状態となって、ブースタファン（1）と給気ファン（26）との間の空気通路（61,62）が開通する。
【００１４】
第３の発明は、室外空気を室内（30）に導入するための導入口（63）と、室内空気を室外（40）に排出するための排出口（67）と、該導入口（63）から室外空気を吸い込んで室内（30）に供給するＤＣモータ駆動の給気ファン（26）を有する複数の換気装置（10）と、該各給気ファン（26）の給気上流側又は給気下流側に配設され、該各給気ファン（26）による室外空気の吸い込み力を補助するブースタファン（1）と、を備えた換気システムを対象とする。
【００１５】
そして、上記第３の発明は、上記複数の換気装置（10）のうち作動要求があった換気装置（10）の給気ファン（26）を作動させる換気制御部（101）と、上記複数の換気装置（10）のうち少なくとも一つが作動状態にある場合に、上記ブースタファン（1）を作動させるブースタファン制御部（102）と、を備えている。上記ブースタファン制御部（102）は、上記複数の換気装置（10）の一部が作動している場合に、停止状態にある換気装置（10）に対して作動要求があったときには、上記換気制御部（101）が、該作動要求があった換気装置（10）の給気ファン（26）を作動させる前に、上記ブースタファン（1）を一旦停止させ、該給気ファン（26）の作動以後に該ブースタファン（1）を再作動させるように構成されている。
【００１６】
第３の発明では、複数の換気装置（10）のうちの一つでも作動状態（給気ファン（26）が作動する状態）にあるときには、ブースタファン（1）が作動する。したがって、複数の換気装置（10）のうちの一部が作動している状態では、ブースタファン（1）が作動することとなる。この状態で、停止状態にある換気装置（10）の作動要求があった場合には、上記換気装置（10）の給気ファン（26）が作動する前に、ブースタファン（1）が一旦停止する。そして、給気ファン（26）が作動した後に、ブースタファン（1）が再作動する。
【００１７】
第４の発明は、室外空気を室内（30）に導入するための導入口（63）と、室内空気を室外（40）に排出するための排出口（67）と、室内空気を吸い込んで該排出口（67）から室外（40）へと排出するＤＣモータ駆動の排気ファン（25）を有する換気装置（10）と、該排気ファン（25）の排気上流側又は排気下流側に配設され、該排気ファン（25）による室内空気の吸い込み力を補助するブースタファン（1）と、を備えた換気システムを対象とする。
【００１８】
そして、上記第４の発明は、上記換気装置（10）の作動要求があったときに、上記排気ファン（25）を作動させる換気制御部（101）と、上記換気装置（10）が停止状態にある場合において、該換気装置（10）の作動要求があるまでは上記ブースタファン（1）を停止させる一方、該換気装置（10）の作動要求があったときには、上記換気制御部（101）が上記排気ファン（25）を作動させた以後に上記ブースタファン（1）を作動させるブースタファン制御部（102）と、を備えている。
【００１９】
第４の発明では、換気装置（10）が停止状態（排気ファン（25）が停止した状態）にある場合に、換気装置（10）の作動要求があったときには、排気ファン（25）が作動して室内換気が行われる。そして、排気ファン（25）が作動した以後に、ブースタファン（1）が作動して排気ファン（25）による室内空気の吸い込みを補助する。
【００２０】
第５の発明は、第４の発明において、上記ブースタファン（1）と上記換気装置（10）の排気ファン（25）との間の空気通路（61,62）に配設され、該空気通路（61,62）を開閉するダンパ（60）と、上記換気装置（10）が停止状態にある場合において、該換気装置（10）の作動要求があったときに、該作動要求時から、上記換気制御部（101）が上記換気装置（10）の排気ファン（25）を作動させるまでの間、上記ダンパ（60）を閉状態に維持する一方、該排気ファン（25）の作動以後に上記ダンパ（60）を開状態に切り換えるダンパ制御部（103）と、を備えているものとする。
【００２１】
第５の発明では、換気装置（10）が停止状態にある場合に、換気装置（10）の作動要求があったときには、該作動要求時から、換気制御部（101）が排気ファン（25）を作動させるまでの間、上記ダンパ（60）が閉状態に維持される。
【００２２】
一方、上記換気制御部（101）が排気ファン（25）を作動させた以後に、ダンパ（60）が開状態に切換わって、ブースタファン（1）と排気ファン（25）との間の空気通路（61,62）が開通する。
【００２３】
請求項６の発明は、室外空気を室内（30）に導入するための導入口（63）と、室内空気を室外（40）に排出するための排出口（67）と、室内空気を吸い込んで該排出口（67）から室外（40）へと排出するＤＣモータ駆動の排気ファン（25）を有する複数の換気装置（10）と、該各排気ファン（25）の排気上流側又は排気下流側に配設され、該各排気ファン（25）による室内空気の吸い込み力を補助するブースタファン（1）と、を備えた換気システムを対象とする。
【００２４】
そして、上記第６の発明は、上記複数の換気装置（10）のうち作動要求があった換気装置（10）の排気ファン（25）を作動させる換気制御部（101）と、上記複数の換気装置（10）のうち少なくとも一つが作動状態にある場合に、上記ブースタファン（1）を作動させるブースタファン制御部（102）と、を備えている。上記ブースタファン制御部（102）は、上記複数の換気装置（10）の一部が作動している場合に、停止状態にある換気装置（10）に対して作動要求があったときには、上記換気制御部（101）が、該作動要求があった換気装置（10）の排気ファン（25）を作動させる前に、上記ブースタファン（1）を一旦停止させ、該排気ファン（25）の作動以後に該ブースタファン（1）を再作動させるように構成されている。
【００２５】
第６の発明では、複数の換気装置（10）のうちの一つでも作動状態（排気ファン（25）が作動する状態）にあるときには、ブースタファン（1）が作動する。したがって、複数の換気装置（10）のうちの一部が作動している状態では、ブースタファン（1）が作動することとなる。この状態で、停止状態にある換気装置（10）の作動要求があった場合には、該換気装置（10）の排気ファン（25）が作動する前に、ブースタファン（1）が一旦停止する。そして、排気ファン（25）が作動した後に、ブースタファン（1）が再作動することとなる。
【００２６】
請求項７の発明は、第２又は第５の発明において、上記換気装置（10）は、室内空気を調湿して換気する調湿換気モードと、上記室内（30）の空気を調湿せずに換気する単純換気モードとに切り換える流路切り換え機構（83）を備えている。上記ダンパ（60）は、上記流路切り換え機構（83）を構成している。
【００２７】
第７の発明では、換気装置（10）のモードを切り換えるための流路切り換え機構（83）を利用して、上記ダンパ（60）を構成することができる。
【発明の効果】
【００２８】
以上説明したように、第１の発明では、ＤＣモータ駆動の給気ファン（26）及び排気ファン（25）を有する換気装置（10）と、給気ファン（26）の給気上流側又は給気下流側に配設されるブースタファン（1）と、を備えた換気システムにおいて、換気装置（10）の作動要求があったときには、給気ファン（26）が作動した以後にブースタファン（1）を作動させるようにしたことで、給気ファン（26）が、ブースタファン（1）の吸い込み流により空回りしている最中に起動するのを防止することができる。したがって、給気ファン（26）を起動時の突入電流から保護することができる。
【００２９】
第２の発明では、換気装置（10）の作動要求があったときに、該作動要求時から給気ファン（26）が作動するまでの間、ブースタファン（1）と給気ファン（26）との間の給気通路をダンパ（60）で遮断することができる。したがって、給気ファン（26）の空回りを確実に防止し、給気ファン（26）を起動時の突入電流から確実に保護することができる。
【００３０】
第３の発明では、ＤＣモータ駆動の給気ファン（26）を有する複数の換気装置（10）と、各換気装置（10）の給気ファン（26）の給気上流側又は給気下流側に配設されるブースタファン（1）と、を備えた換気システムにおいて、複数の換気装置（10）の一部が作動している場合に、停止状態にある換気装置（10）に対して作動要求があったときには、ブースタファン（1）を一時的に停止させるようにしたことで、上記給気ファン（26）が、ブースタファン（1）の吸い込み流により空回りしている最中に起動するのを防止することができる。したがって、給気ファン（26）を起動時の突入電流から確実に保護することができる。
【００３１】
第４の発明では、ＤＣモータ駆動の排気ファン（25）を有する換気装置（10）と、排気ファン（25）の排気上流側又は排気下流側に配設されるブースタファン（1）と、を備えた換気システムにおいて、換気装置（10）の作動要求があったときには、排気ファン（25）が作動した以後にブースタファン（1）を作動させるようにしたことで、排気ファン（25）が、ブースタファン（1）の吸い込み流により空回りしている最中に起動するのを防止することができる。したがって、排気ファン（25）を起動時の突入電流から保護することができる。
【００３２】
第５の発明では、換気装置（10）の作動要求があったときに、該作動要求時から排気ファン（25）が作動するまでの間、ブースタファン（1）と排気ファン（25）との間の排気通路をダンパ（60）で遮断することができる。したがって、排気ファン（25）の空回りを確実に防止し、排気ファン（25）を起動時の突入電流から確実に保護することができる。
【００３３】
第６の発明では、ＤＣモータ駆動の排気ファン（25）を有する複数の換気装置（10）と、各換気装置（10）の排気ファン（25）の排気上流側又は排気下流側に配設されるブースタファン（1）と、を備えた換気システムにおいて、複数の換気装置（10）の一部が作動している場合には、停止状態にある換気装置（10）に対して作動要求があったときには、ブースタファン（1）を一時的に停止させるようにしたことで、上記排気ファン（25）が、ブースタファン（1）の吸い込み流により空回りしている最中に起動するのを防止することができる。したがって、排気ファン（25）を起動時の突入電流から確実に保護することができる。
【００３４】
第７の発明では、換気装置（10）のモードを切り換えるための流路切り換え機構（83）を利用してダンパ（60）を構成するようにしたことで、部品点数を削減して装置全体の低コスト化を図ることができる。
【図面の簡単な説明】
【００３５】
【図１】図１は、実施形態に係る換気システムを示す概略図である。
【図２】図２は、換気システムに含まれる各換気装置の構成を示す概略図である。
【図３】図３は、換気システムの制御系の構成を示すブロック図である。
【図４】図４は、コントローラにおける各換気装置及びブースタファンの作動制御を示すフローチャートである。
【図５】図５は、コントローラにおける各換気装置及びブースタファンの作動制御について説明するためのタイムチャートである。
【図６】図６は、実施形態２を示す図１相当図である。
【図７】図７は、実施形態２を示す図４相当図である。
【図８】図８は、除湿換気運転の第１動作における空気の流れを示す調湿装置の概略の平面図、右側面図、及び左側面図である。
【図９】図９は、実施形態３に係る換気装置の除湿換気運転の第２動作における空気の流れを示す調湿装置の概略の平面図、右側面図、及び左側面図である。
【図１０】図１０は、実施形態３に係る換気装置の加湿換気運転の第１動作における空気の流れを示す調湿装置の概略の平面図、右側面図、及び左側面図である。
【図１１】図１１は、実施形態３に係る換気装置の加湿換気運転の第２動作における空気の流れを示す調湿装置の概略の平面図、右側面図、及び左側面図である。
【図１２】図１２は、実施形態３に係る換気装置の単純換気運転における空気の流れを示す調湿装置の概略の平面図、右側面図、及び左側面図である。
【図１３】図１３は、冷媒回路の構成を示す配管系統図であって、(Ａ)は第１動作中の動作を示すものであり、(Ｂ)は第２動作中の動作を示すものである。
【図１４】図１４は、吸着熱交換器の概略斜視図である。
【図１５】図１５は、他の実施形態に係る換気システムを示す概略図であり、図１相当図である。
【図１６】図１６は、他の実施形態に係る換気システムを示す概略図であり、図６相当図である。
【発明を実施するための形態】
【００３６】
以下、本発明の実施形態を図面に基づいて詳細に説明する。
【００３７】
（実施形態１）
図１は、本発明の実施形態に係る換気システム（S）を示し、この換気システム（S）は、２つの換気装置（10）（第１換気装置（10a）及び第２換気装置（10b））と、ブースタファン（1）とを有している。
【００３８】
第１換気装置（10a）と第２換気装置（10b）とは、同じ構造であり、いわゆる全熱交換型の換気装置である。各換気装置（10a,10b）は、図２に示すように（図では第１換気装置（10a）のみを示す）、給気通路（2）及び排気通路（3）が形成されたケーシング（11）を備えている。ケーシング（11）には、給気通路（2）を流通する供給空気と排気通路（3）を流通する排出空気とを熱交換させる熱交換器（5）が設けられている。ケーシング（11）は、給気通路（2）と排気通路（3）が熱交換器（5）で交差するように形成されている。
【００３９】
給気通路（2）には、ＤＣファン（ＤＣモータを駆動源とするファン）により構成された給気ファン（26）が設けられている。給気通路（2）の給気上流側（室外側）の外気吸込口（24）は、室外側給気通路（61）に連通している。室外側給気通路（61）は、その給気上流側端において共通給気通路（62）に連通している。共通給気通路（62）は、その給気上流側の換気口（導入口に相当）（63）において室外（40）に連通している。また、給気通路（2）の給気下流側（室内側）の給気口（22）は、室内側給気通路（64）に連通している。
【００４０】
排気通路（3）には、ＤＣファンにより構成された排気ファン（25）が設けられている。排気通路（3）の排気下流側（室外側）の排気口（21）は、室外側排気通路（65）に連通している。室外側排気通路（65）は、その排気下流側端において共通排気通路（66）に連通している。共通排気通路（66）は、その排気下流側（室外側）の換気口（排出口に相当）（67）において室外（40）に連通している。また、排気通路（3）の排気上流側（室内側）の内気吸込口（23）は、室内側排気通路（68）に連通している。
【００４１】
共通給気通路（62）における換気口（63）付近には、給気ファン（26）による給気を補助するためのブースタファン（1）が配設されている。ブースタファン（1）は、給気ファン（26）及び排気ファン（25）と同様にＤＣファンにより構成され、後述のコントローラ（100）により作動制御される。ブースタファン（1）の給気下流側には、塩害フィルタ（16）が配設されている。塩害フィルタ（16）は、塩害地域等（沿岸部等）において室外空気に含まれる塩分を除去するためのものであって、例えば表面に撥水加工を施したメッシュ状のろ材で構成されている。
【００４２】
上記各換気装置（10a,10b）は、図３に示すように、起動スイッチ（14）を有している。各換気装置（10a,10b）は、ユーザが起動スイッチ（14）を操作することにより、給気ファン（26）及び排気ファン（25）が共に作動する作動状態と、両ファン（25,26）が停止する停止状態とに切り換え可能に構成されている。各換気装置（10a,10b）は、起動スイッチ（14）が、オン状態にあるときには作動状態となり、オフ状態にあるときには停止状態となる。
【００４３】
換気装置（10a,10b）が作動状態なると、給気ファン（26）及び排気ファン（25）が作動する。この結果、室外（40）の空気が、換気口（67）からブースタファン（1）及び塩害フィルタ（16）を通って、共通給気通路（62）内へと流入する。流入した室外空気は、室外側給気通路（61）を通って、各換気装置（10a,10b）の給気通路（2）内に流入するとともに、熱交換器（5）を通過した後に、室内側給気通路（64）を通って給気グリル（8）から室内（30）へと取り込まれる。また、室内（30）の空気が、排気グリル（13）から室内側排気通路（68）を通って、換気装置（10a,10b）の排気通路（3）内に流入する。流入した室内空気は、熱交換器（5）を通過した後に、室外側排気通路（65）を通って共通排気通路（66）に流入し、換気口（67）から室外（40）へと排出される。こうして、給気ファン（26）及び排気ファン（25）が作動することで、汚染物質（二酸化炭素、一酸化炭素、粉塵等）の濃度が高くなった室内空気を室外（40）へと排出するとともに、室外（40）の新気を室内（30）に取り込んで室内換気を行うことができる。
【００４４】
給気ファン（26）及び排気ファン（25）（各ファン（25,26）の駆動モータ）は、専用のインバータ（15）を介してコントローラ（100）により作動制御される。
【００４５】
給気ファン（26）には、運転センサ（17）（図３参照）が設けられている。運転センサ（17）は、給気ファン（26）の駆動モータの回転速度をファン回転速度として検出する。そして、運転センサ（17）は、検出したファン回転速度が所定回転数以上であるときには、作動検知信号を出力する一方、検出したファン回転速度が所定回転数未満であるときには非作動検知信号を出力する。同様に、ブースタファン（1）は、ＤＣモータを駆動源とするＤＣファンからなる。ブースタファン（1）（ブースタファン（1）の駆動モータ）は、専用のインバータ（15）を介してコントローラ（100）により作動制御される。なお、ブースタファン（1）にも、給気ファン（26）と同様に運転センサ（18）が設けられている。
【００４６】
図３に示すように、コントローラ（100）は、上記換気装置（10a,10b）の起動スイッチ（14）と、各換気装置（10a,10b）の給気ファン（26）の運転センサ（17）とに信号の授受可能に接続されている。
【００４７】
起動スイッチ（14）は、そのオン／オフ状態に対応する信号（オン状態に対応するオン信号又はオフ状態に対応するオフ信号）をコントローラ（100）に出力する。
【００４８】
上記コントローラ（100）は、換気制御部（101）とブースタファン制御部（102）とを備えている。なお、本実施形態のコントローラ（100）は、図３において、一点鎖線で示すダンパ制御部（103）は備えていない。
【００４９】
換気制御部（101）は、起動スイッチ（14）からのオン／オフ信号を基に、各換気装置（10a,10b）の作動制御を行う。すなわち、コントローラ（100）は、各換気装置（10a,10b）について、起動スイッチ（14）からのオン信号を受信したときには、給気ファン（26）及び排気ファン（25）を作動させるべく、各ファン（25,26）に対しインバータ（15）を介して作動信号を出力する。換気制御部（101）は、各換気装置（10a,10b）について、起動スイッチ（14）からのオフ信号を受信したときには、給気ファン（26）及び排気ファン（25）を停止させるべく、各ファン（25,26）に対しインバータ（15）を介して停止信号を出力する。
【００５０】
ブースタファン制御部（102）は、各換気装置（10a,10b）の給気ファン（26）に設置された上記運転センサ（17）からの信号を基にブースタファン（1）の作動制御を行う。
【００５１】
つまり、ブースタファン制御部（102）は、各換気装置（10a,10b）のうち少なくとも一つが作動状態にある場合に、上記ブースタファン（1）を作動させるように構成されている。
【００５２】
また、上記ブースタファン制御部（102）は、各換気装置（10a,10b）が停止状態にある場合において、換気装置（10a,10b）の作動要求があるまでは上記ブースタファン（1）を停止させる一方、換気装置（10a,10b）の作動要求があったときには、上記換気制御部（101）が上記給気ファン（26）を作動させた以後に上記ブースタファン（1）を作動させるように構成されている。
【００５３】
さらに、上記ブースタファン制御部（102）は、上記２つの換気装置（10a,10b）の一部が作動している場合に、停止状態にある換気装置（10a,10b）に対して作動要求があったときには、上記換気制御部（101）が、作動要求があった換気装置（10a,10b）の給気ファン（26）を作動させる前に、上記ブースタファン（1）を一旦停止させ、該給気ファン（26）の作動以後に該ブースタファン（1）を再作動させるように構成されている。
【００５４】
そこで、、上記コントローラ（100）におけるブースタファン（1）の作動制御について、図４のフローチャートを基に説明する。
【００５５】
ステップＳ１では、両換気装置（10a,10b）の給気ファン（26）及びブースタファン（1）のそれぞれに設けられた運転センサ（17）からの信号を読み込む。
【００５６】
ステップＳ２では、ステップＳ１で読み込んだ信号を基に、両換気装置（10a,10b）が停止状態（給気ファン（26）及び排気ファン（25）が共に停止した状態）にあるか否かを判定し、この判定がＮＯであるときにはステップＳ８に進む一方、ＹＥＳであるときにはステップＳ３に進む。
【００５７】
ステップＳ３では、ブースタファン（1）を停止状態に制御するべく、ブースタファン（1）に対しインバータ（15）を介して停止信号を出力する。
【００５８】
ステップＳ４では、両換気装置（10a,10b）のうち少なくとも一方の換気装置（10a,10b）について作動要求があったか否か（起動スイッチ（14）からのオン信号を受信したか否か）を判定し、この判定がＮＯであるときにはリターンする一方、ＹＥＳであるときにはステップＳ５に進む。
【００５９】
ステップＳ５では、作動要求があった換気装置（10a,10b）の給気ファン（26）及び排気ファン（25）を作動させるべく、各ファン（25,26）に対しインバータ（15）を介して作動信号を出力する。
【００６０】
ステップＳ６では、作動要求があった換気装置（10a,10b）の給気ファン（26）が作動したか否か（該給気ファン（26）の運転センサ（17）からの作動検知信号を受信したか否か）を判定し、この判定がＮＯであるときにはステップＳ１４に進む一方、ＹＥＳであるときにはステップＳ７に進む。
【００６１】
ステップＳ７では、ブースタファン（1）を作動させるべく、ブースタファン（1）に対しインバータ（15）を介して作動信号を出力し、しかる後にリターンする。
【００６２】
ステップＳ２の判定がＮＯであるときに進むステップＳ８では、ステップＳ１で読み込んだ信号を基に、両換気装置（10a,10b）のうちの一方が停止状態にあるか否かを判定し、この判定がＮＯであるときにはリターンする一方、ＹＥＳであるときにはステップＳ９に進む。
【００６３】
ステップＳ９では、ステップＳ８で停止状態にあると判断した換気装置（10a,10b）に対して作動要求があったか否か（起動スイッチ（14）からのオン信号を受信したか否か）を判定し、この判定がＮＯであるときにはリターンする一方、ＹＥＳであるときにはステップＳ１０に進む。
【００６４】
ステップＳ１０では、作動要求があった換気装置（10a,10b）の給気ファン（26）及び排気ファン（25）を作動させるべく、各ファン（25,26）に対しインバータ（15）を介して作動信号を出力するとともに、ブースタファン（1）を一旦停止させるべく、ブースタファン（1）に対しインバータ（15）を介して停止信号を出力する。
【００６５】
ステップＳ１１では、作動要求があった換気装置（10a,10b）の給気ファン（26）が作動したか否か（該給気ファン（26）の運転センサ（17）からの作動検知信号を受信したか否か）を判定し、この判定がＮＯであるときにはステップＳ１３に進む一方、ＹＥＳであるときにはステップＳ１２に進む。
【００６６】
ステップＳ１２では、ブースタファン（1）を再作動させるべく、ブースタファン（1）に対しインバータ（15）を介して作動信号を出力する。
【００６７】
ステップＳ１１の判定がＮＯであるときに進むステップＳ１３では、ブースタファン（1）に対する停止信号の出力を継続し、しかる後に、ステップＳ１１に戻る。
【００６８】
ステップＳ６の判定がＮＯであるときに進むステップＳ１４では、ブースタファン（1）に対する停止信号の出力を継続し、しかる後に、ステップＳ６に戻る。
【００６９】
以上のように構成された換気システム（S）の制御動作の一例を、図５のタイムチャートを基に説明する。同図において、時刻ｔ１よりも前の状態では、両換気装置（10a,10b）の起動スイッチ（14）がオフ状態となって、両換気装置（10a,10b）が停止状態にある。時刻ｔ１では、第１換気装置（10a）の起動スイッチ（14）がオン操作され、第１換気装置（10a）の起動スイッチ（14）からオン信号が出力される。コントローラ（100）は、このオン信号を受け、第１換気装置（10a）の給気ファン（26）及び排気ファン（25）に対して作動信号を出力する。この結果、時刻ｔ１から所定時間Ｔａだけ遅れた時刻ｔ２において、第１換気装置（10a）の給気ファン（26）及び排気ファン（25）が作動する（図５では、給気ファン（26）の作動状態のみを示している）こととなる。なお、本実施形態では、各ファン（25,26）が作動信号を受けてから作動するまでの時間遅れは共にＴａとされているが、この遅れ時間が、給気ファン（26）と排気ファン（25）とで異なるものであってもよい。
【００７０】
上記時刻ｔ２で、第１換気装置（10a）の給気ファン（26）が作動すると、該給気ファン（26）の運転センサ（17）より作動検知信号が出力される。コントローラ（100）は、この作動検知信号を受け、ブースタファン（1）に対して作動信号を出力する。この結果、時刻ｔ２から所定時間Ｔｂだけ遅れた時刻ｔ３において、ブースタファン（1）が作動する。
【００７１】
ブースタファン（1）が作動した後に、時刻ｔ４で、停止状態にある第２換気装置（10b）の起動スイッチ（14）がオン操作されたときには、該起動スイッチ（14）からオン信号が出力される。コントローラ（100）は、このオン信号を受け、第２換気装置（10b）の給気ファン（26）及び排気ファン（25）に作動信号を出力するとともに、ブースタファン（1）に停止信号を出力する。この結果、時刻ｔ４から所定時間Ｔｂだけ遅れた時刻ｔ５でブースタファン（1）が停止し、その後、時刻ｔ４から所定時間Ｔｃだけ遅れた時刻ｔ６で、第２換気装置（10b）の給気ファン（26）及び排気ファン（25）が作動する。
【００７２】
上記時刻ｔ６で、第２換気装置（10b）の給気ファン（26）が作動すると、該給気ファン（26）の運転センサ（17）より作動検知信号が出力される。コントローラ（100）は、この作動検知信号を受け、ブースタファン（1）に作動信号を出力する。この結果、時刻ｔ６から所定時間Ｔｂだけ遅れた時刻ｔ７でブースタファン（1）が作動する。
【００７３】
その後、時刻ｔ８で、第１換気装置（10a）の起動スイッチ（14）がオフ操作されたときには、該起動スイッチ（14）からオフ信号が出力される。このコントローラ（100）は、このオフ信号を受け、第１換気装置（10a）の給気ファン（26）及び排気ファン（25）に停止信号を出力する。この結果、時刻ｔ８から所定時間Ｔａだけ遅れた時刻ｔ９において、該両ファン（25,26）が停止する。なお、この時点では、第１換気装置（10a）が停止状態にあるものの第２換気装置（10b）は作動状態にあるため、ブースタファン（1）は停止することなく作動し続ける。
【００７４】
その後、時刻ｔ１０で、第１換気装置（10a）の起動スイッチ（14）がオン操作されたときには、該起動スイッチ（14）からオン信号が出力される。コントローラ（100）は、このオン信号を受け、第１換気装置（10a）の給気ファン（26）及び排気ファン（25）に作動信号を出力するとともに、ブースタファン（1）に停止信号を出力する。
【００７５】
この結果、時刻ｔ１０から所定時間Ｔａだけ遅れた時刻ｔ１１でブースタファン（1）が停止し、その後、時刻ｔ１０から所定時間Ｔａ（＞Ｔｂ）だけ遅れた時刻ｔ１２で、第１換気装置（10a）の給気ファン（26）及び排気ファン（25）が作動する。
【００７６】
上記時刻ｔ１２で、第１換気装置（10a）の給気ファン（26）及び排気ファン（25）が作動すると、該給気ファン（26）の運転センサ（17）より作動検知信号が出力される。コントローラ（100）は、この作動検知信号を受け、ブースタファン（1）に作動信号を出力する。この結果、時刻ｔ１２から所定時間Ｔｂだけ遅れた時刻ｔ１３でブースタファン（1）が作動する。
【００７７】
このように上記実施形態１では、コントローラ（100）は、両換気装置（10a,10b）が停止状態にある場合において（ステップＳ２の判定がＹＥＳである場合において）、少なくとも一方の換気装置（10a,10b）について作動要求があったときには（ステップＳ４の判定がＹＥＳであるときには）、該作動要求があった換気装置（10a,10b）の給気ファン（26）が作動した後に（ステップＳ６の判定がＹＥＳとなった後に）、ブースタファン（1）を作動させる。
【００７８】
これにより、給気ファン（26）が、ブースタファン（1）からの気流により空回りしている最中に起動するのを防止することができる。よって、給気ファン（26）（給気ファン（26）を駆動するＤＣモータ）は、その起動時の突入電流から確実に保護される。
【００７９】
また、上記実施形態１では、コントローラ（100）は、両換気装置（10a,10b）のうちの一方が作動している場合に（ステップＳ８の判定がＹＥＳである場合に）、停止状態にある他方の換気装置（10a,10b）に対して作動要求があったとき（ステップＳ９の判定がＹＥＳであるとき）には、作動要求があった換気装置（10a,10b）の給気ファン（26）を作動させる前に、ブースタファン（1）を一旦停止させ（ステップＳ１０の処理を実行して）、給気ファン（26）が作動した後に、ブースタファン（1）を再作動させる（ステップＳ１２の処理を実行する）。
【００８０】
これにより、停止状態にある他方の換気装置（10a,10b）を起動する際に、当該換気装置（10a,10b）の給気ファン（26）が、ブースタファン（1）からの気流により空回りしている最中に起動することが防止される。したがって、給気ファン（26）を起動時の突入電流からより一層確実に保護することができる。
【００８１】
なお、本実施形態１のブースタファン制御部（102）は、第１換気装置（10a）の給気ファン（26）が作動した時刻ｔ２から所定時間Ｔｂだけ遅れた時刻ｔ３において、ブースタファン（1）を作動させるようにしている。しかしながら、上記ブースタファン制御部（102）は、第１換気装置（10a）の給気ファン（26）が作動すると同時に（時刻ｔ２）、ブースタファン（1）を作動させるようにしてもよい。要するに、上記ブースタファン制御部（102）は、上記給気ファン（26）を作動させた以後に上記ブースタファン（1）を作動させるものであればよい。
【００８２】
また、本実施形態１のブースタファン制御部（102）は、第１換気装置（10a）の給気ファン（26）が作動している状態において、第２換気装置（10b）の給気ファン（26）が作動した時刻ｔ６から所定時間Ｔｂだけ遅れた時刻ｔ７でブースタファン（1）が作動するようにしている。しかしながら、上記ブースタファン制御部（102）は、第２換気装置（10b）の給気ファン（26）が作動すると同時（時刻ｔ６）、ブースタファン（1）を作動させるようにしてもよい。要するに、上記ブースタファン制御部（102）は、上記給気ファン（26）を作動させた以後に上記ブースタファン（1）を作動させるものであればよい。この点、上記ブースタファン制御部（102）は、上記時刻ｔ１２において、ブースタファン（1）を作動させてもよい。
【００８３】
（実施形態２）
図６は、本発明の実施形態２を示し、上記実施形態１とは、換気装置（10）の数が異なっているとともに、給気ファン（26）の空回りを防止するための空回り防止機構を備える点で異なっている。尚、図１と実質的に同じ構成要素については同じ符号を付してその詳細な説明を適宜省略する。また、以下の実施形態において、ブースタファン（1）の配置や空気通路（61〜67）の構成は実施形態１と同様であるため、その説明を省略する。
【００８４】
すなわち、本実施形態では、換気システム（S）は、一つの換気装置（10a）と、ブースタファン（1）と備えている。
【００８５】
換気システム（S）は、上記空回り防止機構として、室外側給気通路（61）に開閉式のダンパ（60）を備えている。そして、上記換気システム（S）は、図３に示すコントローラ（100）を備え、該コントローラ（100）は、換気制御部（101）及びブースタファン制御部（102）の他、図３の一点鎖線で示すように、ダンパ制御部（103）を備えている。
【００８６】
ダンパ（60）は、コントローラ（100）に電気的に接続され、該コントローラ（100）のダンパ制御部（103）からの開閉信号を受けて開閉動作を行う。
【００８７】
上記ダンパ（60）は、開状態にあるときには、室外側給気通路（61）を閉塞し、ブースタファン（1）から給気ファン（26）へと向かう空気流を遮断する一方、閉状態にあるときには、室外側給気通路（61）を開通し、該空気流の遮断を解除する。
【００８８】
上記ダンパ制御部（103）は、換気装置（10a,10b）が停止状態にある場合において、該換気装置（10a,10b）の作動要求があったときに、該作動要求時から、上記換気制御部（101）が該換気装置（10a,10b）の給気ファン（26）を作動させるまでの間、上記ダンパ（60）を閉状態に維持する一方、該給気ファン（26）の作動以後に上記ダンパ（60）を開状態に切り換えるように構成されている。
【００８９】
つまり、ダンパ制御部（103）は、図７に示すように、換気装置（10a）の起動スイッチ（14）がオフ状態にある場合において、起動スイッチ（14）がオン操作されるまでは（時刻ｔ１までは）、ダンパ（60）を閉状態に制御する。
【００９０】
また、上記ダンパ制御部（103）は、換気装置（10a）の起動スイッチ（14）がオフ状態にある場合において、起動スイッチ（14）がオン操作されたときには、このオン操作時から給気ファン（26）が作動するまでの間（時刻ｔ１から時刻ｔ３までの間）、ダンパ（60）を閉状態に維持し、給気ファン（26）が作動した時（時刻ｔ３の時）に、ダンパ（60）を開状態に切り換える。具体的には、コントローラ（100）は、起動スイッチ（14）からのオン信号を受信した時（時刻ｔ１）には、換気装置（10a）の給気ファン（26）及び排気ファン（25）に対しインバータ（15）を介して作動信号を出力するとともに、時刻ｔ１から所定時間Ｔｃが経過した時刻ｔ２で、ブースタファン（1）に対しインバータ（15）を介して作動信号を出力する。そうすることで、時刻ｔ３で、給気ファン（26）が作動するのと略同時に、ブースタファン（1）が作動することとなる。
【００９１】
尚、本実施形態では、上記ダンパ（60）の閉状態から開状態への切り換え時期を時刻ｔ３（つまり給気ファン（26）が作動した時）としているが、時刻ｔ３よりも後でもよい。
【００９２】
また、上記ブースタファン（1）の作動は、実施形態１と同様に、給気ファン（26）が作動した時刻ｔ３よりも後でもよい。
【００９３】
以上の如く上記実施形態２では、換気装置（10a）が停止状態にある場合に、換気装置（10a）の作動要求があったとき（換気装置（10a）の起動スイッチ（14）がオン操作されたとき）には、コントローラ（100）によって、給気ファン（26）が作動するまでの間（時刻ｔ＜時刻ｔ３までの間）ダンパ（60）が閉状態に制御される。したがって、換気装置（10a）の作動要求があってから給気ファン（26）が作動するまでの間、ブースタファン（1）と給気ファン（26）との間の空気通路（61,62）をダンパ（60）により遮断し、給気ファン（26）の空回りを防止することができる。したがって、給気ファン（26）が、ブースタファン（1）からの気流によって空回りしている最中に起動するのを確実に防止することができる。よって、給気ファン（26）を起動時の突入電流から確実に保護することができる。
【００９４】
また、上記実施形態２では、換気装置（10a）が停止状態にある場合に、換気装置（10a）の作動要求があって給気ファン（26）が作動した以後は（時刻ｔ３≦時刻ｔでは）、コントローラ（100）によってダンパ（60）が開状態に制御され、ブースタファン（1）と給気ファン（26）との間の空気通路（61,62）が開通することとなる。したがって、給気ファン（26）が作動した後は、給気ファン（26）とブースタファン（1）との双方で室外空気を吸い込むことができる。よって、上述の如く、給気ファン（26）の上流側に塩害フィルタ（16）を設置した場合であっても、給気ファン（26）による空気吸い込み力を低下させることなく、室内換気を十分に行うことができる。
【００９５】
（実施形態３）
図８乃至図１４は、本発明の実施形態３を示し、上記実施形態２とは換気装置（10ａ）の構成及び空回り防止機構の構成を異ならせたものである。なお、図６と実質的に同じ構成要素については同じ符号を付してその詳細な説明を適宜省略する。
【００９６】
すなわち、本実施形態では、換気装置（10a）は、調湿換気運転と単純換気運転との２つの運転動作（運転モード）を切り換え可能に構成されている。換気装置（10a）における調湿換気運転では、除湿運転と加湿運転とを切り換え可能になっている。そして、換気装置（10a）は、調湿換気運転と単純換気運転とを切り換えるためのバイパス用ダンパ（83，84)を有している。該バイパス用ダンパ（83，84)は、流路切り換え機構を構成している。本実施形態では、このうちの一方の第１バイパス用ダンパ（83）を空回り防止機構として利用するようにしている。
【００９７】
換気装置（10a）は、図８乃至図１２に示すように、ケーシング（11）を備えており、このケーシング（11）の側面に、外気吸込口（24）、内気吸込口（23）、給気口（22）、及び排気口（21）が設けられいる。換気装置（10a）は、外気吸込口（24）から室外空気を吸い込んで給気口（22）から室内（30）に供給する一方、内気吸込口（23）から室内空気を吸い込んで排気口（21）から室外に排出するように構成されている。
【００９８】
ケーシング（11）内には、冷媒回路（50）（図１３参照）が収容されている。この冷媒回路（50）には、第１吸着熱交換器（51）、第２吸着熱交換器（52）、圧縮機（53）、四方切換弁（54）、及び電動膨張弁（55）が接続されている。
【００９９】
〈冷媒回路の構成〉
上記冷媒回路（50）について、図１３を参照しながら説明する。
【０１００】
上記冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【０１０１】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【０１０２】
上記四方切換弁（54）は、第１のポートと第３のポートが連通して第２のポートと第４のポートが連通する第１状態（図１３(Ａ)に示す状態）と、第１のポートと第４のポートが連通して第２のポートと第３のポートが連通する第２状態（図１３(Ｂ)に示す状態）とに切り換え可能となっている。
【０１０３】
本実施形態の換気装置（10a）では、冷媒回路（50）が熱媒体回路を構成している。この冷媒回路（50）では、２つの吸着熱交換器（51,52）のうち凝縮器として動作する方に高圧のガス冷媒が加熱用の熱媒体として供給され、蒸発器として動作する方に低圧の気液二相冷媒が冷却用の熱媒体として供給される。
【０１０４】
〈吸着熱交換器の構成〉
第１吸着熱交換器（51）と第２吸着熱交換器（52）のそれぞれは、フィン・アンド・チューブ熱交換器の表面に吸着剤を担持させたものである。
【０１０５】
図１４に示すように、これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、フィン（57）の配列方向に蛇行する形状となっている。つまり、この伝熱管（58）は、各フィン（57）を貫通する直管部と、隣り合った直管部同士を接続するＵ字管部（59）とが交互に形成されている。そして、吸着熱交換器（51,52）は、各フィン（57）の表面に吸着剤が担持され、フィン（57）の間を通過する空気がフィン（57）に担持された吸着剤と接触する。
【０１０６】
本実施形態の吸着熱交換器（51,52）は、吸湿性を有する有機高分子材料が吸着剤として用いられている。吸着剤として用いられる有機高分子材料は、分子中に親水性の極性基を有する複数の高分子主鎖が互いに架橋され、互いに架橋された複数の高分子主鎖が三次元構造体を形成している。
【０１０７】
本実施形態の吸着剤は、水蒸気を捕捉（すなわち、吸湿）することによって膨潤する。この吸着剤が吸湿することによって膨潤するメカニズムは、以下のようなものと推測される。つまり、この吸着剤が吸湿する際には、親水性の極性基の周りに水蒸気が吸着され、親水性の極性基と水蒸気が反応することで生じた電気的な力が高分子主鎖に作用し、その結果、高分子主鎖が変形する。そして、変形した高分子主鎖同士の隙間へ水蒸気が毛細管力によって取り込まれ、水蒸気が入り込むことによって複数の高分子主鎖からなる三次元構造体が膨らみ、その結果、吸着剤の体積が増加する。
【０１０８】
このように、本実施形態の吸着剤は、水蒸気が吸着剤に吸着される現象と、水蒸気が吸着剤に吸収される現象の両方が起こる。つまり、この吸着剤には、水蒸気が収着される。また、この吸着剤に捕捉された水蒸気は、互いに架橋された複数の高分子主鎖からなる三次元構造体の表面だけでなく、その内部にまで入り込む。その結果、この吸着剤には、表面に水蒸気を吸着するだけのゼオライト等に比べ、多量の水蒸気が捕捉される。
【０１０９】
また、この吸着剤は、水蒸気を放出（すなわち、放湿）することによって収縮する。つまり、この吸着剤が放湿する際には、高分子主鎖同士の隙間に捕捉された水の量が減少してゆき、複数の高分子主鎖で構成された三次元構造体の形状が元に戻ってゆくため、吸着剤の体積が減少する。
【０１１０】
なお、本実施形態の吸着剤として用いられる材料は、吸湿することによって膨潤して放湿することによって収縮するものであれば上述した材料に限定されず、例えば吸湿性を有するイオン交換樹脂であってもよい。
【０１１１】
〈コントローラの構成〉
換気装置（10a）は、図３に示すコントローラ（100）によって制御されている。コントローラ（100）は、上記各実施形態と同様に、給気ファン（26）及び排気ファン（25）の作動制御、並びに、ブースタファン（1）の作動制御を行うとともに、各ダンパ（41〜48,83,84）の開閉、圧縮機（53）の運転容量や電動膨張弁（55）の開度の調節、四方切換弁（54）の切り換え等を行う。
【０１１２】
−運転動作−
本実施形態の換気装置（10a）は、三つの運転モード（除湿換気運転、加湿換気運転、単純換気運転）を実行可能である。つまり、この換気装置（10a）は、除湿換気運転と、加湿換気運転と、単純換気運転とを選択的に行う。本実施形態では、ユーザは、不図示の操作スイッチを操作することで所望の運転モードの選択や、換気装置（10a）の作動／停止を切り換え可能になっている。
【０１１３】
除湿換気運転中や加湿換気運転中の換気装置（10a）は、取り込んだ室外空気（OA）を湿度調節してから供給空気（SA）として室内（30）へ供給すると同時に、取り込んだ室内空気（RA）を排出空気（EA）として室外へ排出する。一方、単純換気運転中の換気装置（10a）は、取り込んだ室外空気（OA）をそのまま供給空気（SA）として室内（30）へ供給すると同時に、取り込んだ室内空気（RA）をそのまま排出空気（EA）として室外（40）へ排出する。
【０１１４】
〈除湿換気運転〉
除湿換気運転中の換気装置（10a）は、後述する第１動作と第２動作が所定の時間間隔（例えば３分間隔）で交互に繰り返される。この除湿換気運転中において、第１バイパス用ダンパ（83）及び第２バイパス用ダンパ（84）は、常に閉状態となる。
【０１１５】
除湿換気運転中の換気装置（10a）において、給気ファン（26）を運転すると、室外空気が外気吸込口（24）からケーシング（11）内へ第１空気として取り込まれる。また、排気ファン（25）を運転すると、室内空気が内気吸込口（23）からケーシング（11）内へ第２空気として取り込まれる。
【０１１６】
先ず、除湿換気運転の第１動作について説明する。図８に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。
【０１１７】
この第１動作中の冷媒回路（50）は、図１３(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【０１１８】
外気側通路（34）へ流入した第１空気は、第２外気側ダンパ（44）を通って第２熱交換器室（38）へ流入し、その後に第２吸着熱交換器（52）を通過する。第２吸着熱交換器（52）は、その表面に担持された吸着剤が第１空気から吸湿し、その際に生じた熱を冷媒が吸熱する。第２吸着熱交換器（52）を通過する間に除湿された第１空気は、第２給気側ダンパ（46）を通って給気側通路（31）へ流入し、給気ファン（26）を通過後に給気口（22）を通って室内（30）へ供給される。
【０１１９】
一方、内気側通路（32）へ流入した第２空気は、第１内気側ダンパ（41）を通って第１熱交換器室（37）へ流入し、その後に第１吸着熱交換器（51）を通過する。第１吸着熱交換器（51）は、冷媒によって加熱された吸着剤が放湿し、吸着剤から放出された水蒸気が第２空気に付与される。第１吸着熱交換器（51）を通過する間に水蒸気を付与された第２空気は、第１排気側ダンパ（47）を通って排気側通路（33）へ流入し、排気ファン（25）を通過後に排気口（21）を通って室外（40）へ排出される。
【０１２０】
次に、除湿換気運転の第２動作について説明する。図９に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。
【０１２１】
この第２動作中の冷媒回路（50）は、図１３(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第１吸着熱交換器（51）が蒸発器となって第２吸着熱交換器（52）が凝縮器となる。
【０１２２】
外気側通路（34）へ流入した第１空気は、第１外気側ダンパ（43）を通って第１熱交換器室（37）へ流入し、その後に第１吸着熱交換器（51）を通過する。第１吸着熱交換器（51）は、その表面に担持された吸着剤が第１空気から吸湿し、その際に生じた熱を冷媒が吸熱する。第１吸着熱交換器（51）を通過する間に除湿された第１空気は、第１給気側ダンパ（45）を通って給気側通路（31）へ流入し、給気ファン（26）を通過後に給気口（22）を通って室内（30）へ供給される。
【０１２３】
一方、内気側通路（32）へ流入した第２空気は、第２内気側ダンパ（42）を通って第２熱交換器室（38）へ流入し、その後に第２吸着熱交換器（52）を通過する。第２吸着熱交換器（52）は、冷媒によって加熱された吸着剤が放湿し、吸着剤から放出された水蒸気が第２空気に付与される。第２吸着熱交換器（52）を通過する間に水蒸気を付与された第２空気は、第２排気側ダンパ（48）を通って排気側通路（33）へ流入し、排気ファン（25）を通過後に排気口（21）を通って室外（40）へ排出される。
【０１２４】
〈加湿換気運転〉
加湿換気運転中の換気装置（10a）は、後述する第１動作と第２動作が所定の時間間隔（例えば３分間隔）で交互に繰り返される。この加湿換気運転中において、第１バイパス用ダンパ（83）及び第２バイパス用ダンパ（84）は、常に閉状態となる。
【０１２５】
加湿換気運転中の換気装置（10a）において、給気ファン（26）を運転すると、室外空気が外気吸込口（24）からケーシング（11）内へ第２空気として取り込まれる。また、排気ファン（25）を運転すると、室内空気が内気吸込口（23）からケーシング（11）内へ第１空気として取り込まれる。
【０１２６】
先ず、加湿換気運転の第１動作について説明する。図１０に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。
【０１２７】
この第１動作中の冷媒回路（50）は、図１３(Ａ)に示すように、四方切換弁（54）が第１状態に設定される。そして、この冷媒回路（50）では、除湿換気運転の第１動作中と同様に、第１吸着熱交換器（51）が凝縮器となって第２吸着熱交換器（52）が蒸発器となる。
【０１２８】
内気側通路（32）へ流入した第１空気は、第２内気側ダンパ（42）を通って第２熱交換器室（38）へ流入し、その後に第２吸着熱交換器（52）を通過する。第２吸着熱交換器（52）は、その表面に担持された吸着剤が第１空気から吸湿し、その際に生じた熱を冷媒が吸熱する。第２吸着熱交換器（52）を通過する間に水分を奪われた第１空気は、第２排気側ダンパ（48）を通って排気側通路（33）へ流入し、排気ファン（25）を通過後に排気口（21）を通って室外（40）へ排出される。
【０１２９】
一方、外気側通路（34）へ流入した第２空気は、第１外気側ダンパ（43）を通って第１熱交換器室（37）へ流入し、その後に第１吸着熱交換器（51）を通過する。第１吸着熱交換器（51）は、冷媒によって加熱された吸着剤が放湿し、吸着剤から放出された水蒸気が第２空気に付与される。第１吸着熱交換器（51）を通過する間に加湿された第２空気は、第１給気側ダンパ（45）を通って給気側通路（31）へ流入し、給気ファン（26）を通過後に給気口（22）を通って室内（30）へ供給される。
【０１３０】
次に、加湿換気運転の第２動作について説明する。図１１に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。
【０１３１】
この第２動作中の冷媒回路（50）は、図１３(Ｂ)に示すように、四方切換弁（54）が第２状態に設定される。そして、この冷媒回路（50）では、除湿換気運転の第２動作中と同様に、第１吸着熱交換器（51）が蒸発器となって第２吸着熱交換器（52）が凝縮器となる。
【０１３２】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）は、その表面に担持された吸着剤が第１空気から吸湿し、その際に生じた熱を冷媒が吸熱する。第１吸着熱交換器（51）を通過する間に水分を奪われた第１空気は、第１排気側ダンパ（47）を通って排気側通路（33）へ流入し、排気ファン（25）を通過後に排気口（21）を通って室外（40）へ排出される。
【０１３３】
一方、外気側通路（34）へ流入した第２空気は、第２外気側ダンパ（44）を通って第２熱交換器室（38）へ流入し、その後に第２吸着熱交換器（52）を通過する。第２吸着熱交換器（52）は、冷媒によって加熱された吸着剤が放湿し、吸着剤から放出された水蒸気が第２空気に付与される。第２吸着熱交換器（52）を通過する間に加湿された第２空気は、第２給気側ダンパ（46）を通って給気側通路（31）へ流入し、給気ファン（26）を通過後に給気口（22）を通って室内（30）へ供給される。
【０１３４】
〈単純換気運転〉
単純換気運転中における換気装置（10a）の動作について、図１２を参照しながら説明する。この単純換気運転は、外気をそのまま室内（30）へ供給しても室内（30）の快適性が損なわれない時期（例えば、春季や秋季などの中間期）に行われる。つまり、この単純換気運転は、室内（30）へ供給される空気の湿度調節は不要であるが、室内（30）の換気は行う必要がある場合に実行される。
【０１３５】
この単純換気運転では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。但し、第１バイパス用ダンパ（83）は、給気ファン（26）が作動した以後に開状態となり、給気ファン（26）が作動するまでは閉状態に維持される。
【０１３６】
単純換気運転中において、冷媒回路（50）の圧縮機（53）は停止状態となる。つまり、単純換気運転中において、冷媒回路（50）での冷凍サイクルは行われない。
【０１３７】
単純換気運転中の換気装置（10a）において、給気ファン（26）を運転すると、室外空気が外気吸込口（24）からケーシング（11）内へ取り込まれる。外気吸込口（24）を通って外気側通路（34）へ流入した室外空気は、外気側フィルタ（28）を通過後に第１バイパス通路（81）へ流入し、第１バイパス用ダンパ（83）を通って給気ファン室（36）へ流入する。給気ファン室（36）へ流入した室外空気は、給気ファン（26）へ吸い込まれ、給気口（22）を通って室内（30）へ供給される。
【０１３８】
また、単純換気運転中の換気装置（10a）において、排気ファン（25）を運転すると、室内空気が内気吸込口（23）からケーシング（11）内へ取り込まれる。内気吸込口（23）を通って内気側通路（32）へ流入した室内空気は、内気側フィルタ（27）を通過後に第２バイパス通路（82）へ流入し、第２バイパス用ダンパ（84）を通って排気ファン室（35）へ流入する。排気ファン室（35）へ流入した室内空気は、排気ファン（25）へ吸い込まれ、排気口（21）を通って室外（40）へ排出される。
【０１３９】
〈コントローラにおける単純換気運転時のダンパの開閉制御〉
コントローラ（100）は、上記操作スイッチからの情報を基に、ユーザが要求する運転モードを識別するとともに、換気装置（10a）の作動要求の有無を判定する。コントローラ（100）は、換気装置（10a）が停止状態にあり且つ運転モードとして単純換気運転モードが選択されている場合において、換気装置（10a）の作動要求があったときには、各ダンパ（41〜48,83,84）をそれぞれ、上述した所定の状態に制御するとともに、給気ファン（26）及び排気ファン（25）、並びにブースタファン（1）を作動させる。その際、コントローラ（100）は、換気装置の作動要求があってから、給気ファン（26）が作動するまで（給気ファン（26）の運転センサ（17）から作動検知信号を受信するまで）の間は、第１バイパス用ダンパ（83）を閉状態に維持する一方、給気ファン（26）が作動した以後は、第１バイパス用ダンパ（83）を開状態に維持するようになっている。したがって、給気ファン（26）が作動するまでは、ブースタファン（1）と給気ファン（26）との間の空気通路を、第１バイパス用ダンパ（83）により遮断することができ、これにより、給気ファン（26）が、ブースタファン（1）からの空気流により空回りしている最中に起動するのを防止することができる。よって、給気ファン（26）をその起動時の突入電流から保護することができる。
【０１４０】
また、上記実施形態では、換気装置（10a）の運転モードを切り換えるために使用する第１バイパス用ダンパ（83）を、空回り防止機構として利用しているので、部品の共通化を図って、装置全体の低コスト化を図ることが可能となる。
【０１４１】
（他の実施形態）
本発明の構成は、上記実施形態に限定されるものではなく、それ以外の種々の構成を包含するものである。
【０１４２】
すなわち、上記各実施形態では、ブースタファン（1）を、給気ファン（26）の給気上流側にのみ設けるようにしているが、例えば、ブースタファン（1）をさらに追加して排気ファン（25）の排気下流側にも設けるようにしてもよい。
【０１４３】
具体的に、図１５に示すように、実施形態１における共通排気通路（66）の換気口（67）付近には、排気ファン（25）による室内空気の吸い込み力を補助するためのブースタファン（1）を配設してもよい。そして、コントローラ（100）のブースタファン制御部（102）は、実施形態１の共通給気通路（62）のブースタファン（1）の制御と同様に、共通排気通路（66）のブースタファン（1）を制御する。その他の構成、作用及び効果は実施形態１と同様である。
【０１４４】
また、図１６に示すように、実施形態２における共通排気通路（66）の換気口（67）付近には、排気ファン（25）による室内空気の吸い込み力を補助するためのブースタファン（1）を配設してもよい。さらに、上記室外側排気通路（65）には、室外側給気通路（61）のダンパ（60）と同様の開閉式のダンパ（60）が設けられ、該ダンパ（60）が空回り防止機構を構成している。そして、コントローラ（100）のブースタファン制御部（102）は、実施形態２の共通給気通路（62）のブースタファン（1）の制御と同様に、共通排気通路（66）のブースタファン（1）を制御すると共に、ダンパ制御部（103）は、室外側給気通路（61）のダンパ（60）と同様に、室外側排気通路（65）のダンパ（60）を制御する。その他の構成、作用及び効果は実施形態２と同様である。
【０１４５】
また、上記各実施形態では、各換気装置（10）は、給気ファン（26）と排気ファン（25）とを有するいわゆる第１種換気装置とされているが、これに限ったものではなく、例えば、給気ファン（26）のみを有する第２種換気装置（上記各実施形態において排気ファン（25）を廃止した構成）であってもよいし、排気ファン（25）のみを有する第３種換気装置であってもよい。換気装置（10）を第３種換気装置とした場合には、排気ファン（25）の給気上流側又は給気下流側にブースタファン（1）を設置すればよい。そして、コントローラ（100）において、換気装置（10）の作動要求を検出したときには、排気ファン（25）を作動させた以後に、ブースタファン（1）を作動させるようにすればよい。こうすることで、排気ファン（25）が、ブースタファン（1）の気流により空回りしている最中に起動するのを防止することができる。
【０１４６】
上記各実施形態は、ブースタファン（1）を、給気ファン（26）の給気上流側にのみ設けるようにしているが、例えば、給気ファン（26）をさらに追加して排気ファン（25）の排気下流側に設けるようにしてもよい。
【０１４７】
また、上記各実施形態は、ブースタファン（1）を給気ファン（26）の給気上流側に設けるようにしているが、給気下流側に設けるようにしてもよい。
【０１４８】
また、上記実施形態１は、換気システム（S）は、２つの換気装置（10）を有しており、上記実施形態２は、換気システム（S）は、１の換気装置（10）を有するものとされているが、これに限ったものではなく、換気システム（S）は、３つ以上の換気装置（10）を有するものであってもよい。
【０１４９】
また、上記各実施形態は、各換気装置（10）の作動状態と停止状態との切り換えを、ユーザの手動操作により行うようにしているが、これに限ったものではなく、例えば、室内（30）にＣＯ２センサを設置してその濃度に応じて換気装置（10）の作動／停止状態を切り換えるようにしてもよい。
【０１５０】
また、上記各実施形態は、塩害フィルタ（16）を設置するようにしているが、必ずしも塩害フィルタ（16）を設置した換気システム（S）である必要はない。
【産業上の利用可能性】
【０１５１】
本発明は、室内換気を行うための換気ファンを含む換気装置と、換気ファンの換気能力を補助するブースタファンと、を備えた換気システムに有用であり、特に、塩害地域等において給気通路又は排気通路に塩害フィルタを設置する場合に有用である。
【符号の説明】
【０１５２】
Ｓ      換気システム
１      ブースタファン 
１０    換気装置 
２５    排気ファン 
２６    給気ファン 
６０    ダンパ
６３    換気口（導入口）
６７    換気口（排出口）
８３    第１バイパス用ダンパ（流路切り換え機構）
１００  コントローラ
１０１  換気制御部
１０２  ブースタファン制御部
１０３  ダンパ制御部
【図１】
2011033329.tif 000003
【図２】
2011033329.tif 000004
【図３】
2011033329.tif 000005
【図４】
2011033329.tif 000006
【図５】
2011033329.tif 000007
【図６】
2011033329.tif 000008
【図７】
2011033329.tif 000009
【図８】
2011033329.tif 000010
【図９】
2011033329.tif 000011
【図１０】
2011033329.tif 000012
【図１１】
2011033329.tif 000013
【図１２】
2011033329.tif 000014
【図１３】
2011033329.tif 000015
【図１４】
2011033329.tif 000016
【図１５】
2011033329.tif 000017
【図１６】
2011033329.tif 000018
【手続補正書】
【提出日】平成22年11月8日(2010.11.8)
【手続補正１】
【補正対象書類名】明細書
【補正対象項目名】全文
【補正方法】変更
【補正の内容】
【発明の詳細な説明】
【技術分野】
【０００１】
本発明は、換気システムに関する技術分野に属する。
【背景技術】
【０００２】
従来より、室内空間の空気を排気ファンにより室外へ排出し、この排出した空気に相当する量の室外空気を給気ファンによって強制給気することで室内の換気を行うようにした換気装置は知られている。
【０００３】
この種の換気装置では、省エネ性を向上させるために様々な工夫がなされており、例えば、特許文献１に示すものでは、各ファンの駆動モータとして、消費電力の少ないＤＣモータを採用するようにしている。
【先行技術文献】
【特許文献】
【０００４】
【特許文献１】特開２００７−２８５５８４号公報
【発明の概要】
【発明が解決しようとする課題】
【０００５】
ところで、上述の特許文献１に示す換気装置を、例えば塩害地域等で使用する場合には、塩害対策として給気通路内に塩害フィルタを設置する必要がある。また、例えば、換気装置を建物内に複数設置する場合には、室外空気を各換気装置に導くための給気通路を複数に分岐させる必要がある。しかし、前者の場合には、室外空気が塩害フィルタを通過する際に圧力損失が発生し、また、後者の場合には、室外空気が給気通路内で分岐する際に圧力損失が発生してしまう。このため、いずれの場合においても、給気ファンの給気量を十分に確保することができないという問題がある。
【０００６】
そこで、給気ファンの吸い込み力を補助するために、給気ファンの上流側にブースタファンを設置することが考えられる。この場合、換気装置が停止状態にあるときに、ブースタファンが作動していると、ブースタファンが吸い込んだ室外空気の影響で給気ファンが空回りしてしまう。そして、この給気ファンが空回りしている状態で、換気装置の作動電源が投入されると、給気ファンを駆動するＤＣモータに大きな突入電流が流れるという問題がある。したがって、モータ保護の観点から改良の余地がある。
【０００７】
本発明は、斯かる点に鑑みてなされたものであり、その目的とするところは、ＤＣモータにより駆動される換気用ファンを備えた換気装置と、換気用ファンの換気能力を補助するブースタファンと、を備えた換気システムにおいて、換気装置の電源投入時に換気用ファンを突入電流から確実に保護しようとすることにある。
【課題を解決するための手段】
【０００８】
上記の目的を達成するために、第１の発明は、室外空気を室内（30）に導入するための導入口（63）と、室内空気を室外（40）に排出するための排出口（67）と、該導入口（63）から室外空気を吸い込んで室内（30）に供給するＤＣモータ駆動の給気ファン（26）を有する換気装置（10）と、該給気ファン（26）の給気上流側又は給気下流側に配設され、該給気ファン（26）による室外空気の吸い込み力を補助するブースタファン（1）と、を備えた換気システムを対象とする。
【０００９】
そして、上記第１の発明は、上記換気装置（10）の作動要求があったときに、上記給気ファン（26）を作動させる換気制御部（101）と、上記換気装置（10）が停止状態にある場合において、該換気装置（10）の作動要求があるまでは上記ブースタファン（1）を停止させる一方、該換気装置（10）の作動要求があったときには、上記換気制御部（101）が上記給気ファン（26）を作動させた以後に上記ブースタファン（1）を作動させるブースタファン制御部（102）と、を備えている。
【００１０】
さらに、上記第１の発明は、上記ブースタファン（1）と上記換気装置（10）の給気ファン（26）との間の空気通路（61,62）に配設され、該空気通路（61,62）を開閉するダンパ（60）と、上記換気装置（10）が停止状態にある場合において、該換気装置（10）の作動要求があったときに、該作動要求時から、上記換気制御部（101）が該換気装置（10）の給気ファン（26）を作動させるまでの間、上記ダンパ（60）を閉状態に維持する一方、該給気ファン（26）の作動以後に上記ダンパ（60）を開状態に切り換えるダンパ制御部（103）と、を備えている。
【００１１】
第１の発明では、換気装置（10）が停止状態（給気ファン（26）が停止した状態）にある場合に、換気装置（10）の作動要求があったときには、給気ファンが作動して室内換気が行われる。そして、給気ファン（26）が作動した以後に、ブースタファン（1）が作動する。
【００１２】
また、換気装置（10）が停止状態（給気ファン（26）が停止した状態）にある場合に、換気装置（10）の作動要求があったときには、該作動要求時から、換気制御部（101）が給気ファン（26）を作動させるまでの間、上記ダンパ（60）が閉状態に維持される。
【００１３】
一方、上記換気制御部（101）が給気ファン（26）を作動させた後は、ダンパ（60）が開状態となって、ブースタファン（1）と給気ファン（26）との間の空気通路（61,62）が開通する。
【００１４】
第２の発明は、室外空気を室内（30）に導入するための導入口（63）と、室内空気を室外（40）に排出するための排出口（67）と、該導入口（63）から室外空気を吸い込んで室内（30）に供給するＤＣモータ駆動の給気ファン（26）を有する複数の換気装置（10）と、該各給気ファン（26）の給気上流側又は給気下流側に配設され、該各給気ファン（26）による室外空気の吸い込み力を補助するブースタファン（1）と、を備えた換気システムを対象とする。
【００１５】
そして、上記第２の発明は、上記複数の換気装置（10）のうち作動要求があった換気装置（10）の給気ファン（26）を作動させる換気制御部（101）と、上記複数の換気装置（10）のうち少なくとも一つが作動状態にある場合に、上記ブースタファン（1）を作動させるブースタファン制御部（102）と、を備えている。上記ブースタファン制御部（102）は、上記複数の換気装置（10）の一部が作動している場合に、停止状態にある換気装置（10）に対して作動要求があったときには、上記換気制御部（101）が、該作動要求があった換気装置（10）の給気ファン（26）を作動させる前に、上記ブースタファン（1）を一旦停止させ、該給気ファン（26）の作動以後に該ブースタファン（1）を再作動させるように構成されている。
【００１６】
第２の発明では、複数の換気装置（10）のうちの一つでも作動状態（給気ファン（26）が作動する状態）にあるときには、ブースタファン（1）が作動する。したがって、複数の換気装置（10）のうちの一部が作動している状態では、ブースタファン（1）が作動することとなる。この状態で、停止状態にある換気装置（10）の作動要求があった場合には、上記換気装置（10）の給気ファン（26）が作動する前に、ブースタファン（1）が一旦停止する。そして、給気ファン（26）が作動した後に、ブースタファン（1）が再作動する。
【００１７】
第３の発明は、室外空気を室内（30）に導入するための導入口（63）と、室内空気を室外（40）に排出するための排出口（67）と、室内空気を吸い込んで該排出口（67）から室外（40）へと排出するＤＣモータ駆動の排気ファン（25）を有する換気装置（10）と、該排気ファン（25）の排気上流側又は排気下流側に配設され、該排気ファン（25）による室内空気の吸い込み力を補助するブースタファン（1）と、を備えた換気システムを対象とする。
【００１８】
そして、上記第３の発明は、上記換気装置（10）の作動要求があったときに、上記排気ファン（25）を作動させる換気制御部（101）と、上記換気装置（10）が停止状態にある場合において、該換気装置（10）の作動要求があるまでは上記ブースタファン（1）を停止させる一方、該換気装置（10）の作動要求があったときには、上記換気制御部（101）が上記排気ファン（25）を作動させた以後に上記ブースタファン（1）を作動させるブースタファン制御部（102）と、を備えている。
【００１９】
さらに、第３の発明は、上記ブースタファン（1）と上記換気装置（10）の排気ファン（25）との間の空気通路（61,62）に配設され、該空気通路（61,62）を開閉するダンパ（60）と、上記換気装置（10）が停止状態にある場合において、該換気装置（10）の作動要求があったときに、該作動要求時から、上記換気制御部（101）が上記換気装置（10）の排気ファン（25）を作動させるまでの間、上記ダンパ（60）を閉状態に維持する一方、該排気ファン（25）の作動以後に上記ダンパ（60）を開状態に切り換えるダンパ制御部（103）と、を備えている。
【００２０】
第３の発明では、換気装置（10）が停止状態（排気ファン（25）が停止した状態）にある場合に、換気装置（10）の作動要求があったときには、排気ファン（25）が作動して室内換気が行われる。そして、排気ファン（25）が作動した以後に、ブースタファン（1）が作動して排気ファン（25）による室内空気の吸い込みを補助する。
【００２１】
また、換気装置（10）が停止状態にある場合に、換気装置（10）の作動要求があったときには、該作動要求時から、換気制御部（101）が排気ファン（25）を作動させるまでの間、上記ダンパ（60）が閉状態に維持される。
【００２２】
一方、上記換気制御部（101）が排気ファン（25）を作動させた以後に、ダンパ（60）が開状態に切換わって、ブースタファン（1）と排気ファン（25）との間の空気通路（61,62）が開通する。
【００２３】
第４の発明は、室外空気を室内（30）に導入するための導入口（63）と、室内空気を室外（40）に排出するための排出口（67）と、室内空気を吸い込んで該排出口（67）から室外（40）へと排出するＤＣモータ駆動の排気ファン（25）を有する複数の換気装置（10）と、該各排気ファン（25）の排気上流側又は排気下流側に配設され、該各排気ファン（25）による室内空気の吸い込み力を補助するブースタファン（1）と、を備えた換気システムを対象とする。
【００２４】
そして、上記第４の発明は、上記複数の換気装置（10）のうち作動要求があった換気装置（10）の排気ファン（25）を作動させる換気制御部（101）と、上記複数の換気装置（10）のうち少なくとも一つが作動状態にある場合に、上記ブースタファン（1）を作動させるブースタファン制御部（102）と、を備えている。上記ブースタファン制御部（102）は、上記複数の換気装置（10）の一部が作動している場合に、停止状態にある換気装置（10）に対して作動要求があったときには、上記換気制御部（101）が、該作動要求があった換気装置（10）の排気ファン（25）を作動させる前に、上記ブースタファン（1）を一旦停止させ、該排気ファン（25）の作動以後に該ブースタファン（1）を再作動させるように構成されている。
【００２５】
第４の発明では、複数の換気装置（10）のうちの一つでも作動状態（排気ファン（25）が作動する状態）にあるときには、ブースタファン（1）が作動する。したがって、複数の換気装置（10）のうちの一部が作動している状態では、ブースタファン（1）が作動することとなる。この状態で、停止状態にある換気装置（10）の作動要求があった場合には、該換気装置（10）の排気ファン（25）が作動する前に、ブースタファン（1）が一旦停止する。そして、排気ファン（25）が作動した後に、ブースタファン（1）が再作動することとなる。
【００２６】
第５の発明は、第１又は第３の発明において、上記換気装置（10）は、室内空気を調湿して換気する調湿換気モードと、上記室内（30）の空気を調湿せずに換気する単純換気モードとに切り換える流路切り換え機構（83）を備えている。上記ダンパ（60）は、上記流路切り換え機構（83）を構成している。
【００２７】
第５の発明では、換気装置（10）のモードを切り換えるための流路切り換え機構（83）を利用して、上記ダンパ（60）を構成することができる。
【発明の効果】
【００２８】
以上説明したように、第１の発明では、ＤＣモータ駆動の給気ファン（26）及び排気ファン（25）を有する換気装置（10）と、給気ファン（26）の給気上流側又は給気下流側に配設されるブースタファン（1）と、を備えた換気システムにおいて、換気装置（10）の作動要求があったときには、給気ファン（26）が作動した以後にブースタファン（1）を作動させるようにしたことで、給気ファン（26）が、ブースタファン（1）の吸い込み流により空回りしている最中に起動するのを防止することができる。したがって、給気ファン（26）を起動時の突入電流から保護することができる。
【００２９】
また、換気装置（10）の作動要求があったときに、該作動要求時から給気ファン（26）が作動するまでの間、ブースタファン（1）と給気ファン（26）との間の給気通路をダンパ（60）で遮断することができる。したがって、給気ファン（26）の空回りを確実に防止し、給気ファン（26）を起動時の突入電流から確実に保護することができる。
【００３０】
第２の発明では、ＤＣモータ駆動の給気ファン（26）を有する複数の換気装置（10）と、各換気装置（10）の給気ファン（26）の給気上流側又は給気下流側に配設されるブースタファン（1）と、を備えた換気システムにおいて、複数の換気装置（10）の一部が作動している場合に、停止状態にある換気装置（10）に対して作動要求があったときには、ブースタファン（1）を一時的に停止させるようにしたことで、上記給気ファン（26）が、ブースタファン（1）の吸い込み流により空回りしている最中に起動するのを防止することができる。したがって、給気ファン（26）を起動時の突入電流から確実に保護することができる。
【００３１】
第３の発明では、ＤＣモータ駆動の排気ファン（25）を有する換気装置（10）と、排気ファン（25）の排気上流側又は排気下流側に配設されるブースタファン（1）と、を備えた換気システムにおいて、換気装置（10）の作動要求があったときには、排気ファン（25）が作動した以後にブースタファン（1）を作動させるようにしたことで、排気ファン（25）が、ブースタファン（1）の吸い込み流により空回りしている最中に起動するのを防止することができる。したがって、排気ファン（25）を起動時の突入電流から保護することができる。
【００３２】
また、換気装置（10）の作動要求があったときに、該作動要求時から排気ファン（25）が作動するまでの間、ブースタファン（1）と排気ファン（25）との間の排気通路をダンパ（60）で遮断することができる。したがって、排気ファン（25）の空回りを確実に防止し、排気ファン（25）を起動時の突入電流から確実に保護することができる。
【００３３】
第４の発明では、ＤＣモータ駆動の排気ファン（25）を有する複数の換気装置（10）と、各換気装置（10）の排気ファン（25）の排気上流側又は排気下流側に配設されるブースタファン（1）と、を備えた換気システムにおいて、複数の換気装置（10）の一部が作動している場合には、停止状態にある換気装置（10）に対して作動要求があったときには、ブースタファン（1）を一時的に停止させるようにしたことで、上記排気ファン（25）が、ブースタファン（1）の吸い込み流により空回りしている最中に起動するのを防止することができる。したがって、排気ファン（25）を起動時の突入電流から確実に保護することができる。
【００３４】
第５の発明では、換気装置（10）のモードを切り換えるための流路切り換え機構（83）を利用してダンパ（60）を構成するようにしたことで、部品点数を削減して装置全体の低コスト化を図ることができる。
【図面の簡単な説明】
【００３５】
【図１】図１は、実施形態に係る換気システムを示す概略図である。
【図２】図２は、換気システムに含まれる各換気装置の構成を示す概略図である。
【図３】図３は、換気システムの制御系の構成を示すブロック図である。
【図４】図４は、コントローラにおける各換気装置及びブースタファンの作動制御を示すフローチャートである。
【図５】図５は、コントローラにおける各換気装置及びブースタファンの作動制御について説明するためのタイムチャートである。
【図６】図６は、実施形態２を示す図１相当図である。
【図７】図７は、実施形態２を示す図４相当図である。
【図８】図８は、除湿換気運転の第１動作における空気の流れを示す調湿装置の概略の平面図、右側面図、及び左側面図である。
【図９】図９は、実施形態３に係る換気装置の除湿換気運転の第２動作における空気の流れを示す調湿装置の概略の平面図、右側面図、及び左側面図である。
【図１０】図１０は、実施形態３に係る換気装置の加湿換気運転の第１動作における空気の流れを示す調湿装置の概略の平面図、右側面図、及び左側面図である。
【図１１】図１１は、実施形態３に係る換気装置の加湿換気運転の第２動作における空気の流れを示す調湿装置の概略の平面図、右側面図、及び左側面図である。
【図１２】図１２は、実施形態３に係る換気装置の単純換気運転における空気の流れを示す調湿装置の概略の平面図、右側面図、及び左側面図である。
【図１３】図１３は、冷媒回路の構成を示す配管系統図であって、(Ａ)は第１動作中の動作を示すものであり、(Ｂ)は第２動作中の動作を示すものである。
【図１４】図１４は、吸着熱交換器の概略斜視図である。
【図１５】図１５は、他の実施形態に係る換気システムを示す概略図であり、図１相当図である。
【図１６】図１６は、他の実施形態に係る換気システムを示す概略図であり、図６相当図である。
【発明を実施するための形態】
【００３６】
以下、本発明の実施形態を図面に基づいて詳細に説明する。
【００３７】
（実施形態１）
図１は、本発明の実施形態に係る換気システム（S）を示し、この換気システム（S）は、２つの換気装置（10）（第１換気装置（10a）及び第２換気装置（10b））と、ブースタファン（1）とを有している。
【００３８】
第１換気装置（10a）と第２換気装置（10b）とは、同じ構造であり、いわゆる全熱交換型の換気装置である。各換気装置（10a,10b）は、図２に示すように（図では第１換気装置（10a）のみを示す）、給気通路（2）及び排気通路（3）が形成されたケーシング（11）を備えている。ケーシング（11）には、給気通路（2）を流通する供給空気と排気通路（3）を流通する排出空気とを熱交換させる熱交換器（5）が設けられている。ケーシング（11）は、給気通路（2）と排気通路（3）が熱交換器（5）で交差するように形成されている。
【００３９】
給気通路（2）には、ＤＣファン（ＤＣモータを駆動源とするファン）により構成された給気ファン（26）が設けられている。給気通路（2）の給気上流側（室外側）の外気吸込口（24）は、室外側給気通路（61）に連通している。室外側給気通路（61）は、その給気上流側端において共通給気通路（62）に連通している。共通給気通路（62）は、その給気上流側の換気口（導入口に相当）（63）において室外（40）に連通している。また、給気通路（2）の給気下流側（室内側）の給気口（22）は、室内側給気通路（64）に連通している。
【００４０】
排気通路（3）には、ＤＣファンにより構成された排気ファン（25）が設けられている。排気通路（3）の排気下流側（室外側）の排気口（21）は、室外側排気通路（65）に連通している。室外側排気通路（65）は、その排気下流側端において共通排気通路（66）に連通している。共通排気通路（66）は、その排気下流側（室外側）の換気口（排出口に相当）（67）において室外（40）に連通している。また、排気通路（3）の排気上流側（室内側）の内気吸込口（23）は、室内側排気通路（68）に連通している。
【００４１】
共通給気通路（62）における換気口（63）付近には、給気ファン（26）による給気を補助するためのブースタファン（1）が配設されている。ブースタファン（1）は、給気ファン（26）及び排気ファン（25）と同様にＤＣファンにより構成され、後述のコントローラ（100）により作動制御される。ブースタファン（1）の給気下流側には、塩害フィルタ（16）が配設されている。塩害フィルタ（16）は、塩害地域等（沿岸部等）において室外空気に含まれる塩分を除去するためのものであって、例えば表面に撥水加工を施したメッシュ状のろ材で構成されている。
【００４２】
上記各換気装置（10a,10b）は、図３に示すように、起動スイッチ（14）を有している。各換気装置（10a,10b）は、ユーザが起動スイッチ（14）を操作することにより、給気ファン（26）及び排気ファン（25）が共に作動する作動状態と、両ファン（25,26）が停止する停止状態とに切り換え可能に構成されている。各換気装置（10a,10b）は、起動スイッチ（14）が、オン状態にあるときには作動状態となり、オフ状態にあるときには停止状態となる。
【００４３】
換気装置（10a,10b）が作動状態なると、給気ファン（26）及び排気ファン（25）が作動する。この結果、室外（40）の空気が、換気口（67）からブースタファン（1）及び塩害フィルタ（16）を通って、共通給気通路（62）内へと流入する。流入した室外空気は、室外側給気通路（61）を通って、各換気装置（10a,10b）の給気通路（2）内に流入するとともに、熱交換器（5）を通過した後に、室内側給気通路（64）を通って給気グリル（8）から室内（30）へと取り込まれる。また、室内（30）の空気が、排気グリル（13）から室内側排気通路（68）を通って、換気装置（10a,10b）の排気通路（3）内に流入する。流入した室内空気は、熱交換器（5）を通過した後に、室外側排気通路（65）を通って共通排気通路（66）に流入し、換気口（67）から室外（40）へと排出される。こうして、給気ファン（26）及び排気ファン（25）が作動することで、汚染物質（二酸化炭素、一酸化炭素、粉塵等）の濃度が高くなった室内空気を室外（40）へと排出するとともに、室外（40）の新気を室内（30）に取り込んで室内換気を行うことができる。
【００４４】
給気ファン（26）及び排気ファン（25）（各ファン（25,26）の駆動モータ）は、専用のインバータ（15）を介してコントローラ（100）により作動制御される。
【００４５】
給気ファン（26）には、運転センサ（17）（図３参照）が設けられている。運転センサ（17）は、給気ファン（26）の駆動モータの回転速度をファン回転速度として検出する。そして、運転センサ（17）は、検出したファン回転速度が所定回転数以上であるときには、作動検知信号を出力する一方、検出したファン回転速度が所定回転数未満であるときには非作動検知信号を出力する。同様に、ブースタファン（1）は、ＤＣモータを駆動源とするＤＣファンからなる。ブースタファン（1）（ブースタファン（1）の駆動モータ）は、専用のインバータ（15）を介してコントローラ（100）により作動制御される。なお、ブースタファン（1）にも、給気ファン（26）と同様に運転センサ（18）が設けられている。
【００４６】
図３に示すように、コントローラ（100）は、上記換気装置（10a,10b）の起動スイッチ（14）と、各換気装置（10a,10b）の給気ファン（26）の運転センサ（17）とに信号の授受可能に接続されている。
【００４７】
起動スイッチ（14）は、そのオン／オフ状態に対応する信号（オン状態に対応するオン信号又はオフ状態に対応するオフ信号）をコントローラ（100）に出力する。
【００４８】
上記コントローラ（100）は、換気制御部（101）とブースタファン制御部（102）とを備えている。なお、本実施形態のコントローラ（100）は、図３において、一点鎖線で示すダンパ制御部（103）は備えていない。
【００４９】
換気制御部（101）は、起動スイッチ（14）からのオン／オフ信号を基に、各換気装置（10a,10b）の作動制御を行う。すなわち、コントローラ（100）は、各換気装置（10a,10b）について、起動スイッチ（14）からのオン信号を受信したときには、給気ファン（26）及び排気ファン（25）を作動させるべく、各ファン（25,26）に対しインバータ（15）を介して作動信号を出力する。換気制御部（101）は、各換気装置（10a,10b）について、起動スイッチ（14）からのオフ信号を受信したときには、給気ファン（26）及び排気ファン（25）を停止させるべく、各ファン（25,26）に対しインバータ（15）を介して停止信号を出力する。
【００５０】
ブースタファン制御部（102）は、各換気装置（10a,10b）の給気ファン（26）に設置された上記運転センサ（17）からの信号を基にブースタファン（1）の作動制御を行う。
【００５１】
つまり、ブースタファン制御部（102）は、各換気装置（10a,10b）のうち少なくとも一つが作動状態にある場合に、上記ブースタファン（1）を作動させるように構成されている。
【００５２】
また、上記ブースタファン制御部（102）は、各換気装置（10a,10b）が停止状態にある場合において、換気装置（10a,10b）の作動要求があるまでは上記ブースタファン（1）を停止させる一方、換気装置（10a,10b）の作動要求があったときには、上記換気制御部（101）が上記給気ファン（26）を作動させた以後に上記ブースタファン（1）を作動させるように構成されている。
【００５３】
さらに、上記ブースタファン制御部（102）は、上記２つの換気装置（10a,10b）の一部が作動している場合に、停止状態にある換気装置（10a,10b）に対して作動要求があったときには、上記換気制御部（101）が、作動要求があった換気装置（10a,10b）の給気ファン（26）を作動させる前に、上記ブースタファン（1）を一旦停止させ、該給気ファン（26）の作動以後に該ブースタファン（1）を再作動させるように構成されている。
【００５４】
そこで、、上記コントローラ（100）におけるブースタファン（1）の作動制御について、図４のフローチャートを基に説明する。
【００５５】
ステップＳ１では、両換気装置（10a,10b）の給気ファン（26）及びブースタファン（1）のそれぞれに設けられた運転センサ（17）からの信号を読み込む。
【００５６】
ステップＳ２では、ステップＳ１で読み込んだ信号を基に、両換気装置（10a,10b）が停止状態（給気ファン（26）及び排気ファン（25）が共に停止した状態）にあるか否かを判定し、この判定がＮＯであるときにはステップＳ８に進む一方、ＹＥＳであるときにはステップＳ３に進む。
【００５７】
ステップＳ３では、ブースタファン（1）を停止状態に制御するべく、ブースタファン（1）に対しインバータ（15）を介して停止信号を出力する。
【００５８】
ステップＳ４では、両換気装置（10a,10b）のうち少なくとも一方の換気装置（10a,10b）について作動要求があったか否か（起動スイッチ（14）からのオン信号を受信したか否か）を判定し、この判定がＮＯであるときにはリターンする一方、ＹＥＳであるときにはステップＳ５に進む。
【００５９】
ステップＳ５では、作動要求があった換気装置（10a,10b）の給気ファン（26）及び排気ファン（25）を作動させるべく、各ファン（25,26）に対しインバータ（15）を介して作動信号を出力する。
【００６０】
ステップＳ６では、作動要求があった換気装置（10a,10b）の給気ファン（26）が作動したか否か（該給気ファン（26）の運転センサ（17）からの作動検知信号を受信したか否か）を判定し、この判定がＮＯであるときにはステップＳ１４に進む一方、ＹＥＳであるときにはステップＳ７に進む。
【００６１】
ステップＳ７では、ブースタファン（1）を作動させるべく、ブースタファン（1）に対しインバータ（15）を介して作動信号を出力し、しかる後にリターンする。
【００６２】
ステップＳ２の判定がＮＯであるときに進むステップＳ８では、ステップＳ１で読み込んだ信号を基に、両換気装置（10a,10b）のうちの一方が停止状態にあるか否かを判定し、この判定がＮＯであるときにはリターンする一方、ＹＥＳであるときにはステップＳ９に進む。
【００６３】
ステップＳ９では、ステップＳ８で停止状態にあると判断した換気装置（10a,10b）に対して作動要求があったか否か（起動スイッチ（14）からのオン信号を受信したか否か）を判定し、この判定がＮＯであるときにはリターンする一方、ＹＥＳであるときにはステップＳ１０に進む。
【００６４】
ステップＳ１０では、作動要求があった換気装置（10a,10b）の給気ファン（26）及び排気ファン（25）を作動させるべく、各ファン（25,26）に対しインバータ（15）を介して作動信号を出力するとともに、ブースタファン（1）を一旦停止させるべく、ブースタファン（1）に対しインバータ（15）を介して停止信号を出力する。
【００６５】
ステップＳ１１では、作動要求があった換気装置（10a,10b）の給気ファン（26）が作動したか否か（該給気ファン（26）の運転センサ（17）からの作動検知信号を受信したか否か）を判定し、この判定がＮＯであるときにはステップＳ１３に進む一方、ＹＥＳであるときにはステップＳ１２に進む。
【００６６】
ステップＳ１２では、ブースタファン（1）を再作動させるべく、ブースタファン（1）に対しインバータ（15）を介して作動信号を出力する。
【００６７】
ステップＳ１１の判定がＮＯであるときに進むステップＳ１３では、ブースタファン（1）に対する停止信号の出力を継続し、しかる後に、ステップＳ１１に戻る。
【００６８】
ステップＳ６の判定がＮＯであるときに進むステップＳ１４では、ブースタファン（1）に対する停止信号の出力を継続し、しかる後に、ステップＳ６に戻る。
【００６９】
以上のように構成された換気システム（S）の制御動作の一例を、図５のタイムチャートを基に説明する。同図において、時刻ｔ１よりも前の状態では、両換気装置（10a,10b）の起動スイッチ（14）がオフ状態となって、両換気装置（10a,10b）が停止状態にある。時刻ｔ１では、第１換気装置（10a）の起動スイッチ（14）がオン操作され、第１換気装置（10a）の起動スイッチ（14）からオン信号が出力される。コントローラ（100）は、このオン信号を受け、第１換気装置（10a）の給気ファン（26）及び排気ファン（25）に対して作動信号を出力する。この結果、時刻ｔ１から所定時間Ｔａだけ遅れた時刻ｔ２において、第１換気装置（10a）の給気ファン（26）及び排気ファン（25）が作動する（図５では、給気ファン（26）の作動状態のみを示している）こととなる。なお、本実施形態では、各ファン（25,26）が作動信号を受けてから作動するまでの時間遅れは共にＴａとされているが、この遅れ時間が、給気ファン（26）と排気ファン（25）とで異なるものであってもよい。
【００７０】
上記時刻ｔ２で、第１換気装置（10a）の給気ファン（26）が作動すると、該給気ファン（26）の運転センサ（17）より作動検知信号が出力される。コントローラ（100）は、この作動検知信号を受け、ブースタファン（1）に対して作動信号を出力する。この結果、時刻ｔ２から所定時間Ｔｂだけ遅れた時刻ｔ３において、ブースタファン（1）が作動する。
【００７１】
ブースタファン（1）が作動した後に、時刻ｔ４で、停止状態にある第２換気装置（10b）の起動スイッチ（14）がオン操作されたときには、該起動スイッチ（14）からオン信号が出力される。コントローラ（100）は、このオン信号を受け、第２換気装置（10b）の給気ファン（26）及び排気ファン（25）に作動信号を出力するとともに、ブースタファン（1）に停止信号を出力する。この結果、時刻ｔ４から所定時間Ｔｂだけ遅れた時刻ｔ５でブースタファン（1）が停止し、その後、時刻ｔ４から所定時間Ｔｃだけ遅れた時刻ｔ６で、第２換気装置（10b）の給気ファン（26）及び排気ファン（25）が作動する。
【００７２】
上記時刻ｔ６で、第２換気装置（10b）の給気ファン（26）が作動すると、該給気ファン（26）の運転センサ（17）より作動検知信号が出力される。コントローラ（100）は、この作動検知信号を受け、ブースタファン（1）に作動信号を出力する。この結果、時刻ｔ６から所定時間Ｔｂだけ遅れた時刻ｔ７でブースタファン（1）が作動する。
【００７３】
その後、時刻ｔ８で、第１換気装置（10a）の起動スイッチ（14）がオフ操作されたときには、該起動スイッチ（14）からオフ信号が出力される。このコントローラ（100）は、このオフ信号を受け、第１換気装置（10a）の給気ファン（26）及び排気ファン（25）に停止信号を出力する。この結果、時刻ｔ８から所定時間Ｔａだけ遅れた時刻ｔ９において、該両ファン（25,26）が停止する。なお、この時点では、第１換気装置（10a）が停止状態にあるものの第２換気装置（10b）は作動状態にあるため、ブースタファン（1）は停止することなく作動し続ける。
【００７４】
その後、時刻ｔ１０で、第１換気装置（10a）の起動スイッチ（14）がオン操作されたときには、該起動スイッチ（14）からオン信号が出力される。コントローラ（100）は、このオン信号を受け、第１換気装置（10a）の給気ファン（26）及び排気ファン（25）に作動信号を出力するとともに、ブースタファン（1）に停止信号を出力する。
【００７５】
この結果、時刻ｔ１０から所定時間Ｔａだけ遅れた時刻ｔ１１でブースタファン（1）が停止し、その後、時刻ｔ１０から所定時間Ｔａ（＞Ｔｂ）だけ遅れた時刻ｔ１２で、第１換気装置（10a）の給気ファン（26）及び排気ファン（25）が作動する。
【００７６】
上記時刻ｔ１２で、第１換気装置（10a）の給気ファン（26）及び排気ファン（25）が作動すると、該給気ファン（26）の運転センサ（17）より作動検知信号が出力される。コントローラ（100）は、この作動検知信号を受け、ブースタファン（1）に作動信号を出力する。この結果、時刻ｔ１２から所定時間Ｔｂだけ遅れた時刻ｔ１３でブースタファン（1）が作動する。
【００７７】
このように上記実施形態１では、コントローラ（100）は、両換気装置（10a,10b）が停止状態にある場合において（ステップＳ２の判定がＹＥＳである場合において）、少なくとも一方の換気装置（10a,10b）について作動要求があったときには（ステップＳ４の判定がＹＥＳであるときには）、該作動要求があった換気装置（10a,10b）の給気ファン（26）が作動した後に（ステップＳ６の判定がＹＥＳとなった後に）、ブースタファン（1）を作動させる。
【００７８】
これにより、給気ファン（26）が、ブースタファン（1）からの気流により空回りしている最中に起動するのを防止することができる。よって、給気ファン（26）（給気ファン（26）を駆動するＤＣモータ）は、その起動時の突入電流から確実に保護される。
【００７９】
また、上記実施形態１では、コントローラ（100）は、両換気装置（10a,10b）のうちの一方が作動している場合に（ステップＳ８の判定がＹＥＳである場合に）、停止状態にある他方の換気装置（10a,10b）に対して作動要求があったとき（ステップＳ９の判定がＹＥＳであるとき）には、作動要求があった換気装置（10a,10b）の給気ファン（26）を作動させる前に、ブースタファン（1）を一旦停止させ（ステップＳ１０の処理を実行して）、給気ファン（26）が作動した後に、ブースタファン（1）を再作動させる（ステップＳ１２の処理を実行する）。
【００８０】
これにより、停止状態にある他方の換気装置（10a,10b）を起動する際に、当該換気装置（10a,10b）の給気ファン（26）が、ブースタファン（1）からの気流により空回りしている最中に起動することが防止される。したがって、給気ファン（26）を起動時の突入電流からより一層確実に保護することができる。
【００８１】
なお、本実施形態１のブースタファン制御部（102）は、第１換気装置（10a）の給気ファン（26）が作動した時刻ｔ２から所定時間Ｔｂだけ遅れた時刻ｔ３において、ブースタファン（1）を作動させるようにしている。しかしながら、上記ブースタファン制御部（102）は、第１換気装置（10a）の給気ファン（26）が作動すると同時に（時刻ｔ２）、ブースタファン（1）を作動させるようにしてもよい。要するに、上記ブースタファン制御部（102）は、上記給気ファン（26）を作動させた以後に上記ブースタファン（1）を作動させるものであればよい。
【００８２】
また、本実施形態１のブースタファン制御部（102）は、第１換気装置（10a）の給気ファン（26）が作動している状態において、第２換気装置（10b）の給気ファン（26）が作動した時刻ｔ６から所定時間Ｔｂだけ遅れた時刻ｔ７でブースタファン（1）が作動するようにしている。しかしながら、上記ブースタファン制御部（102）は、第２換気装置（10b）の給気ファン（26）が作動すると同時（時刻ｔ６）、ブースタファン（1）を作動させるようにしてもよい。要するに、上記ブースタファン制御部（102）は、上記給気ファン（26）を作動させた以後に上記ブースタファン（1）を作動させるものであればよい。この点、上記ブースタファン制御部（102）は、上記時刻ｔ１２において、ブースタファン（1）を作動させてもよい。
【００８３】
（実施形態２）
図６は、本発明の実施形態２を示し、上記実施形態１とは、換気装置（10）の数が異なっているとともに、給気ファン（26）の空回りを防止するための空回り防止機構を備える点で異なっている。尚、図１と実質的に同じ構成要素については同じ符号を付してその詳細な説明を適宜省略する。また、以下の実施形態において、ブースタファン（1）の配置や空気通路（61〜67）の構成は実施形態１と同様であるため、その説明を省略する。
【００８４】
すなわち、本実施形態では、換気システム（S）は、一つの換気装置（10a）と、ブースタファン（1）と備えている。
【００８５】
換気システム（S）は、上記空回り防止機構として、室外側給気通路（61）に開閉式のダンパ（60）を備えている。そして、上記換気システム（S）は、図３に示すコントローラ（100）を備え、該コントローラ（100）は、換気制御部（101）及びブースタファン制御部（102）の他、図３の一点鎖線で示すように、ダンパ制御部（103）を備えている。
【００８６】
ダンパ（60）は、コントローラ（100）に電気的に接続され、該コントローラ（100）のダンパ制御部（103）からの開閉信号を受けて開閉動作を行う。
【００８７】
上記ダンパ（60）は、閉状態にあるときには、室外側給気通路（61）を閉塞し、ブースタファン（1）から給気ファン（26）へと向かう空気流を遮断する一方、開状態にあるときには、室外側給気通路（61）を開通し、該空気流の遮断を解除する。
【００８８】
上記ダンパ制御部（103）は、換気装置（10a,10b）が停止状態にある場合において、該換気装置（10a,10b）の作動要求があったときに、該作動要求時から、上記換気制御部（101）が該換気装置（10a,10b）の給気ファン（26）を作動させるまでの間、上記ダンパ（60）を閉状態に維持する一方、該給気ファン（26）の作動以後に上記ダンパ（60）を開状態に切り換えるように構成されている。
【００８９】
つまり、ダンパ制御部（103）は、図７に示すように、換気装置（10a）の起動スイッチ（14）がオフ状態にある場合において、起動スイッチ（14）がオン操作されるまでは（時刻ｔ１までは）、ダンパ（60）を閉状態に制御する。
【００９０】
また、上記ダンパ制御部（103）は、換気装置（10a）の起動スイッチ（14）がオフ状態にある場合において、起動スイッチ（14）がオン操作されたときには、このオン操作時から給気ファン（26）が作動するまでの間（時刻ｔ１から時刻ｔ３までの間）、ダンパ（60）を閉状態に維持し、給気ファン（26）が作動した時（時刻ｔ３の時）に、ダンパ（60）を開状態に切り換える。具体的には、コントローラ（100）は、起動スイッチ（14）からのオン信号を受信した時（時刻ｔ１）には、換気装置（10a）の給気ファン（26）及び排気ファン（25）に対しインバータ（15）を介して作動信号を出力するとともに、時刻ｔ１から所定時間Ｔｃが経過した時刻ｔ２で、ブースタファン（1）に対しインバータ（15）を介して作動信号を出力する。そうすることで、時刻ｔ３で、給気ファン（26）が作動するのと略同時に、ブースタファン（1）が作動することとなる。
【００９１】
尚、本実施形態では、上記ダンパ（60）の閉状態から開状態への切り換え時期を時刻ｔ３（つまり給気ファン（26）が作動した時）としているが、時刻ｔ３よりも後でもよい。
【００９２】
また、上記ブースタファン（1）の作動は、実施形態１と同様に、給気ファン（26）が作動した時刻ｔ３よりも後でもよい。
【００９３】
以上の如く上記実施形態２では、換気装置（10a）が停止状態にある場合に、換気装置（10a）の作動要求があったとき（換気装置（10a）の起動スイッチ（14）がオン操作されたとき）には、コントローラ（100）によって、給気ファン（26）が作動するまでの間（時刻ｔ＜時刻ｔ３までの間）ダンパ（60）が閉状態に制御される。したがって、換気装置（10a）の作動要求があってから給気ファン（26）が作動するまでの間、ブースタファン（1）と給気ファン（26）との間の空気通路（61,62）をダンパ（60）により遮断し、給気ファン（26）の空回りを防止することができる。したがって、給気ファン（26）が、ブースタファン（1）からの気流によって空回りしている最中に起動するのを確実に防止することができる。よって、給気ファン（26）を起動時の突入電流から確実に保護することができる。
【００９４】
また、上記実施形態２では、換気装置（10a）が停止状態にある場合に、換気装置（10a）の作動要求があって給気ファン（26）が作動した以後は（時刻ｔ３≦時刻ｔでは）、コントローラ（100）によってダンパ（60）が開状態に制御され、ブースタファン（1）と給気ファン（26）との間の空気通路（61,62）が開通することとなる。したがって、給気ファン（26）が作動した後は、給気ファン（26）とブースタファン（1）との双方で室外空気を吸い込むことができる。よって、上述の如く、給気ファン（26）の上流側に塩害フィルタ（16）を設置した場合であっても、給気ファン（26）による空気吸い込み力を低下させることなく、室内換気を十分に行うことができる。
【００９５】
（実施形態３）
図８乃至図１４は、本発明の実施形態３を示し、上記実施形態２とは換気装置（10ａ）の構成及び空回り防止機構の構成を異ならせたものである。なお、図６と実質的に同じ構成要素については同じ符号を付してその詳細な説明を適宜省略する。
【００９６】
すなわち、本実施形態では、換気装置（10a）は、調湿換気運転と単純換気運転との２つの運転動作（運転モード）を切り換え可能に構成されている。換気装置（10a）における調湿換気運転では、除湿運転と加湿運転とを切り換え可能になっている。そして、換気装置（10a）は、調湿換気運転と単純換気運転とを切り換えるためのバイパス用ダンパ（83，84)を有している。該バイパス用ダンパ（83，84)は、流路切り換え機構を構成している。本実施形態では、このうちの一方の第１バイパス用ダンパ（83）を空回り防止機構として利用するようにしている。
【００９７】
換気装置（10a）は、図８乃至図１２に示すように、ケーシング（11）を備えており、このケーシング（11）の側面に、外気吸込口（24）、内気吸込口（23）、給気口（22）、及び排気口（21）が設けられいる。換気装置（10a）は、外気吸込口（24）から室外空気を吸い込んで給気口（22）から室内（30）に供給する一方、内気吸込口（23）から室内空気を吸い込んで排気口（21）から室外に排出するように構成されている。
【００９８】
ケーシング（11）内には、冷媒回路（50）（図１３参照）が収容されている。この冷媒回路（50）には、第１吸着熱交換器（51）、第２吸着熱交換器（52）、圧縮機（53）、四方切換弁（54）、及び電動膨張弁（55）が接続されている。
【００９９】
〈冷媒回路の構成〉
上記冷媒回路（50）について、図１３を参照しながら説明する。
【０１００】
上記冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【０１０１】
上記冷媒回路（50）において、圧縮機（53）は、その吐出側が四方切換弁（54）の第１のポートに、その吸入側が四方切換弁（54）の第２のポートにそれぞれ接続されている。第１吸着熱交換器（51）の一端は、四方切換弁（54）の第３のポートに接続されている。第１吸着熱交換器（51）の他端は、電動膨張弁（55）を介して第２吸着熱交換器（52）の一端に接続されている。第２吸着熱交換器（52）の他端は、四方切換弁（54）の第４のポートに接続されている。
【０１０２】
上記四方切換弁（54）は、第１のポートと第３のポートが連通して第２のポートと第４のポートが連通する第１状態（図１３(Ａ)に示す状態）と、第１のポートと第４のポートが連通して第２のポートと第３のポートが連通する第２状態（図１３(Ｂ)に示す状態）とに切り換え可能となっている。
【０１０３】
本実施形態の換気装置（10a）では、冷媒回路（50）が熱媒体回路を構成している。この冷媒回路（50）では、２つの吸着熱交換器（51,52）のうち凝縮器として動作する方に高圧のガス冷媒が加熱用の熱媒体として供給され、蒸発器として動作する方に低圧の気液二相冷媒が冷却用の熱媒体として供給される。
【０１０４】
〈吸着熱交換器の構成〉
第１吸着熱交換器（51）と第２吸着熱交換器（52）のそれぞれは、フィン・アンド・チューブ熱交換器の表面に吸着剤を担持させたものである。
【０１０５】
図１４に示すように、これら吸着熱交換器（51,52）は、銅製の伝熱管（58）とアルミニウム製のフィン（57）とを備えている。吸着熱交換器（51,52）に設けられた複数のフィン（57）は、それぞれが長方形板状に形成され、一定の間隔で並べられている。また、伝熱管（58）は、フィン（57）の配列方向に蛇行する形状となっている。つまり、この伝熱管（58）は、各フィン（57）を貫通する直管部と、隣り合った直管部同士を接続するＵ字管部（59）とが交互に形成されている。そして、吸着熱交換器（51,52）は、各フィン（57）の表面に吸着剤が担持され、フィン（57）の間を通過する空気がフィン（57）に担持された吸着剤と接触する。
【０１０６】
本実施形態の吸着熱交換器（51,52）は、吸湿性を有する有機高分子材料が吸着剤として用いられている。吸着剤として用いられる有機高分子材料は、分子中に親水性の極性基を有する複数の高分子主鎖が互いに架橋され、互いに架橋された複数の高分子主鎖が三次元構造体を形成している。
【０１０７】
本実施形態の吸着剤は、水蒸気を捕捉（すなわち、吸湿）することによって膨潤する。この吸着剤が吸湿することによって膨潤するメカニズムは、以下のようなものと推測される。つまり、この吸着剤が吸湿する際には、親水性の極性基の周りに水蒸気が吸着され、親水性の極性基と水蒸気が反応することで生じた電気的な力が高分子主鎖に作用し、その結果、高分子主鎖が変形する。そして、変形した高分子主鎖同士の隙間へ水蒸気が毛細管力によって取り込まれ、水蒸気が入り込むことによって複数の高分子主鎖からなる三次元構造体が膨らみ、その結果、吸着剤の体積が増加する。
【０１０８】
このように、本実施形態の吸着剤は、水蒸気が吸着剤に吸着される現象と、水蒸気が吸着剤に吸収される現象の両方が起こる。つまり、この吸着剤には、水蒸気が収着される。また、この吸着剤に捕捉された水蒸気は、互いに架橋された複数の高分子主鎖からなる三次元構造体の表面だけでなく、その内部にまで入り込む。その結果、この吸着剤には、表面に水蒸気を吸着するだけのゼオライト等に比べ、多量の水蒸気が捕捉される。
【０１０９】
また、この吸着剤は、水蒸気を放出（すなわち、放湿）することによって収縮する。つまり、この吸着剤が放湿する際には、高分子主鎖同士の隙間に捕捉された水の量が減少してゆき、複数の高分子主鎖で構成された三次元構造体の形状が元に戻ってゆくため、吸着剤の体積が減少する。
【０１１０】
なお、本実施形態の吸着剤として用いられる材料は、吸湿することによって膨潤して放湿することによって収縮するものであれば上述した材料に限定されず、例えば吸湿性を有するイオン交換樹脂であってもよい。
【０１１１】
〈コントローラの構成〉
換気装置（10a）は、図３に示すコントローラ（100）によって制御されている。コントローラ（100）は、上記各実施形態と同様に、給気ファン（26）及び排気ファン（25）の作動制御、並びに、ブースタファン（1）の作動制御を行うとともに、各ダンパ（41〜48,83,84）の開閉、圧縮機（53）の運転容量や電動膨張弁（55）の開度の調節、四方切換弁（54）の切り換え等を行う。
【０１１２】
−運転動作−
本実施形態の換気装置（10a）は、三つの運転モード（除湿換気運転、加湿換気運転、単純換気運転）を実行可能である。つまり、この換気装置（10a）は、除湿換気運転と、加湿換気運転と、単純換気運転とを選択的に行う。本実施形態では、ユーザは、不図示の操作スイッチを操作することで所望の運転モードの選択や、換気装置（10a）の作動／停止を切り換え可能になっている。
【０１１３】
除湿換気運転中や加湿換気運転中の換気装置（10a）は、取り込んだ室外空気（OA）を湿度調節してから供給空気（SA）として室内（30）へ供給すると同時に、取り込んだ室内空気（RA）を排出空気（EA）として室外へ排出する。一方、単純換気運転中の換気装置（10a）は、取り込んだ室外空気（OA）をそのまま供給空気（SA）として室内（30）へ供給すると同時に、取り込んだ室内空気（RA）をそのまま排出空気（EA）として室外（40）へ排出する。
【０１１４】
〈除湿換気運転〉
除湿換気運転中の換気装置（10a）は、後述する第１動作と第２動作が所定の時間間隔（例えば３分間隔）で交互に繰り返される。この除湿換気運転中において、第１バイパス用ダンパ（83）及び第２バイパス用ダンパ（84）は、常に閉状態となる。
【０１１５】
除湿換気運転中の換気装置（10a）において、給気ファン（26）を運転すると、室外空気が外気吸込口（24）からケーシング（11）内へ第１空気として取り込まれる。また、排気ファン（25）を運転すると、室内空気が内気吸込口（23）からケーシング（11）内へ第２空気として取り込まれる。
【０１１６】
先ず、除湿換気運転の第１動作について説明する。図８に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。
【０１１７】
この第１動作中の冷媒回路（50）は、図１３(Ａ)に示すように、四方切換弁（54）が第１状態に設定される。この状態の冷媒回路（50）では、冷媒が循環して冷凍サイクルが行われる。その際、冷媒回路（50）では、圧縮機（53）から吐出された冷媒が第１吸着熱交換器（51）、電動膨張弁（55）、第２吸着熱交換器（52）の順に通過し、第１吸着熱交換器（51）が凝縮器となって第２吸着熱交換器（52）が蒸発器となる。
【０１１８】
外気側通路（34）へ流入した第１空気は、第２外気側ダンパ（44）を通って第２熱交換器室（38）へ流入し、その後に第２吸着熱交換器（52）を通過する。第２吸着熱交換器（52）は、その表面に担持された吸着剤が第１空気から吸湿し、その際に生じた熱を冷媒が吸熱する。第２吸着熱交換器（52）を通過する間に除湿された第１空気は、第２給気側ダンパ（46）を通って給気側通路（31）へ流入し、給気ファン（26）を通過後に給気口（22）を通って室内（30）へ供給される。
【０１１９】
一方、内気側通路（32）へ流入した第２空気は、第１内気側ダンパ（41）を通って第１熱交換器室（37）へ流入し、その後に第１吸着熱交換器（51）を通過する。第１吸着熱交換器（51）は、冷媒によって加熱された吸着剤が放湿し、吸着剤から放出された水蒸気が第２空気に付与される。第１吸着熱交換器（51）を通過する間に水蒸気を付与された第２空気は、第１排気側ダンパ（47）を通って排気側通路（33）へ流入し、排気ファン（25）を通過後に排気口（21）を通って室外（40）へ排出される。
【０１２０】
次に、除湿換気運転の第２動作について説明する。図９に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。
【０１２１】
この第２動作中の冷媒回路（50）は、図１３(Ｂ)に示すように、四方切換弁（54）が第２状態に設定される。この状態の冷媒回路（50）では、冷媒が循環して冷凍サイクルが行われる。その際、冷媒回路（50）では、圧縮機（53）から吐出された冷媒が第２吸着熱交換器（52）、電動膨張弁（55）、第１吸着熱交換器（51）の順に通過し、第１吸着熱交換器（51）が蒸発器となって第２吸着熱交換器（52）が凝縮器となる。
【０１２２】
外気側通路（34）へ流入した第１空気は、第１外気側ダンパ（43）を通って第１熱交換器室（37）へ流入し、その後に第１吸着熱交換器（51）を通過する。第１吸着熱交換器（51）は、その表面に担持された吸着剤が第１空気から吸湿し、その際に生じた熱を冷媒が吸熱する。第１吸着熱交換器（51）を通過する間に除湿された第１空気は、第１給気側ダンパ（45）を通って給気側通路（31）へ流入し、給気ファン（26）を通過後に給気口（22）を通って室内（30）へ供給される。
【０１２３】
一方、内気側通路（32）へ流入した第２空気は、第２内気側ダンパ（42）を通って第２熱交換器室（38）へ流入し、その後に第２吸着熱交換器（52）を通過する。第２吸着熱交換器（52）は、冷媒によって加熱された吸着剤が放湿し、吸着剤から放出された水蒸気が第２空気に付与される。第２吸着熱交換器（52）を通過する間に水蒸気を付与された第２空気は、第２排気側ダンパ（48）を通って排気側通路（33）へ流入し、排気ファン（25）を通過後に排気口（21）を通って室外（40）へ排出される。
【０１２４】
〈加湿換気運転〉
加湿換気運転中の換気装置（10a）は、後述する第１動作と第２動作が所定の時間間隔（例えば３分間隔）で交互に繰り返される。この加湿換気運転中において、第１バイパス用ダンパ（83）及び第２バイパス用ダンパ（84）は、常に閉状態となる。
【０１２５】
加湿換気運転中の換気装置（10a）において、給気ファン（26）を運転すると、室外空気が外気吸込口（24）からケーシング（11）内へ第２空気として取り込まれる。また、排気ファン（25）を運転すると、室内空気が内気吸込口（23）からケーシング（11）内へ第１空気として取り込まれる。
【０１２６】
先ず、加湿換気運転の第１動作について説明する。図１０に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。
【０１２７】
この第１動作中の冷媒回路（50）は、図１３(Ａ)に示すように、四方切換弁（54）が第１状態に設定される。そして、この冷媒回路（50）では、除湿換気運転の第１動作中と同様に、第１吸着熱交換器（51）が凝縮器となって第２吸着熱交換器（52）が蒸発器となる。
【０１２８】
内気側通路（32）へ流入した第１空気は、第２内気側ダンパ（42）を通って第２熱交換器室（38）へ流入し、その後に第２吸着熱交換器（52）を通過する。第２吸着熱交換器（52）は、その表面に担持された吸着剤が第１空気から吸湿し、その際に生じた熱を冷媒が吸熱する。第２吸着熱交換器（52）を通過する間に水分を奪われた第１空気は、第２排気側ダンパ（48）を通って排気側通路（33）へ流入し、排気ファン（25）を通過後に排気口（21）を通って室外（40）へ排出される。
【０１２９】
一方、外気側通路（34）へ流入した第２空気は、第１外気側ダンパ（43）を通って第１熱交換器室（37）へ流入し、その後に第１吸着熱交換器（51）を通過する。第１吸着熱交換器（51）は、冷媒によって加熱された吸着剤が放湿し、吸着剤から放出された水蒸気が第２空気に付与される。第１吸着熱交換器（51）を通過する間に加湿された第２空気は、第１給気側ダンパ（45）を通って給気側通路（31）へ流入し、給気ファン（26）を通過後に給気口（22）を通って室内（30）へ供給される。
【０１３０】
次に、加湿換気運転の第２動作について説明する。図１１に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。
【０１３１】
この第２動作中の冷媒回路（50）は、図１３(Ｂ)に示すように、四方切換弁（54）が第２状態に設定される。そして、この冷媒回路（50）では、除湿換気運転の第２動作中と同様に、第１吸着熱交換器（51）が蒸発器となって第２吸着熱交換器（52）が凝縮器となる。
【０１３２】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）は、その表面に担持された吸着剤が第１空気から吸湿し、その際に生じた熱を冷媒が吸熱する。第１吸着熱交換器（51）を通過する間に水分を奪われた第１空気は、第１排気側ダンパ（47）を通って排気側通路（33）へ流入し、排気ファン（25）を通過後に排気口（21）を通って室外（40）へ排出される。
【０１３３】
一方、外気側通路（34）へ流入した第２空気は、第２外気側ダンパ（44）を通って第２熱交換器室（38）へ流入し、その後に第２吸着熱交換器（52）を通過する。第２吸着熱交換器（52）は、冷媒によって加熱された吸着剤が放湿し、吸着剤から放出された水蒸気が第２空気に付与される。第２吸着熱交換器（52）を通過する間に加湿された第２空気は、第２給気側ダンパ（46）を通って給気側通路（31）へ流入し、給気ファン（26）を通過後に給気口（22）を通って室内（30）へ供給される。
【０１３４】
〈単純換気運転〉
単純換気運転中における換気装置（10a）の動作について、図１２を参照しながら説明する。この単純換気運転は、外気をそのまま室内（30）へ供給しても室内（30）の快適性が損なわれない時期（例えば、春季や秋季などの中間期）に行われる。つまり、この単純換気運転は、室内（30）へ供給される空気の湿度調節は不要であるが、室内（30）の換気は行う必要がある場合に実行される。
【０１３５】
この単純換気運転では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。但し、第１バイパス用ダンパ（83）は、給気ファン（26）が作動した以後に開状態となり、給気ファン（26）が作動するまでは閉状態に維持される。
【０１３６】
単純換気運転中において、冷媒回路（50）の圧縮機（53）は停止状態となる。つまり、単純換気運転中において、冷媒回路（50）での冷凍サイクルは行われない。
【０１３７】
単純換気運転中の換気装置（10a）において、給気ファン（26）を運転すると、室外空気が外気吸込口（24）からケーシング（11）内へ取り込まれる。外気吸込口（24）を通って外気側通路（34）へ流入した室外空気は、外気側フィルタ（28）を通過後に第１バイパス通路（81）へ流入し、第１バイパス用ダンパ（83）を通って給気ファン室（36）へ流入する。給気ファン室（36）へ流入した室外空気は、給気ファン（26）へ吸い込まれ、給気口（22）を通って室内（30）へ供給される。
【０１３８】
また、単純換気運転中の換気装置（10a）において、排気ファン（25）を運転すると、室内空気が内気吸込口（23）からケーシング（11）内へ取り込まれる。内気吸込口（23）を通って内気側通路（32）へ流入した室内空気は、内気側フィルタ（27）を通過後に第２バイパス通路（82）へ流入し、第２バイパス用ダンパ（84）を通って排気ファン室（35）へ流入する。排気ファン室（35）へ流入した室内空気は、排気ファン（25）へ吸い込まれ、排気口（21）を通って室外（40）へ排出される。
【０１３９】
〈コントローラにおける単純換気運転時のダンパの開閉制御〉
コントローラ（100）は、上記操作スイッチからの情報を基に、ユーザが要求する運転モードを識別するとともに、換気装置（10a）の作動要求の有無を判定する。コントローラ（100）は、換気装置（10a）が停止状態にあり且つ運転モードとして単純換気運転モードが選択されている場合において、換気装置（10a）の作動要求があったときには、各ダンパ（41〜48,83,84）をそれぞれ、上述した所定の状態に制御するとともに、給気ファン（26）及び排気ファン（25）、並びにブースタファン（1）を作動させる。その際、コントローラ（100）は、換気装置の作動要求があってから、給気ファン（26）が作動するまで（給気ファン（26）の運転センサ（17）から作動検知信号を受信するまで）の間は、第１バイパス用ダンパ（83）を閉状態に維持する一方、給気ファン（26）が作動した以後は、第１バイパス用ダンパ（83）を開状態に維持するようになっている。したがって、給気ファン（26）が作動するまでは、ブースタファン（1）と給気ファン（26）との間の空気通路を、第１バイパス用ダンパ（83）により遮断することができ、これにより、給気ファン（26）が、ブースタファン（1）からの空気流により空回りしている最中に起動するのを防止することができる。よって、給気ファン（26）をその起動時の突入電流から保護することができる。
【０１４０】
また、上記実施形態では、換気装置（10a）の運転モードを切り換えるために使用する第１バイパス用ダンパ（83）を、空回り防止機構として利用しているので、部品の共通化を図って、装置全体の低コスト化を図ることが可能となる。
【０１４１】
（他の実施形態）
本発明の構成は、上記実施形態に限定されるものではなく、それ以外の種々の構成を包含するものである。
【０１４２】
すなわち、上記各実施形態では、ブースタファン（1）を、給気ファン（26）の給気上流側にのみ設けるようにしているが、例えば、ブースタファン（1）をさらに追加して排気ファン（25）の排気下流側にも設けるようにしてもよい。
【０１４３】
具体的に、図１５に示すように、実施形態１における共通排気通路（66）の換気口（67）付近には、排気ファン（25）による室内空気の吸い込み力を補助するためのブースタファン（1）を配設してもよい。そして、コントローラ（100）のブースタファン制御部（102）は、実施形態１の共通給気通路（62）のブースタファン（1）の制御と同様に、共通排気通路（66）のブースタファン（1）を制御する。その他の構成、作用及び効果は実施形態１と同様である。
【０１４４】
また、図１６に示すように、実施形態２における共通排気通路（66）の換気口（67）付近には、排気ファン（25）による室内空気の吸い込み力を補助するためのブースタファン（1）を配設してもよい。さらに、上記室外側排気通路（65）には、室外側給気通路（61）のダンパ（60）と同様の開閉式のダンパ（60）が設けられ、該ダンパ（60）が空回り防止機構を構成している。そして、コントローラ（100）のブースタファン制御部（102）は、実施形態２の共通給気通路（62）のブースタファン（1）の制御と同様に、共通排気通路（66）のブースタファン（1）を制御すると共に、ダンパ制御部（103）は、室外側給気通路（61）のダンパ（60）と同様に、室外側排気通路（65）のダンパ（60）を制御する。その他の構成、作用及び効果は実施形態２と同様である。
【０１４５】
また、上記各実施形態では、各換気装置（10）は、給気ファン（26）と排気ファン（25）とを有するいわゆる第１種換気装置とされているが、これに限ったものではなく、例えば、給気ファン（26）のみを有する第２種換気装置（上記各実施形態において排気ファン（25）を廃止した構成）であってもよいし、排気ファン（25）のみを有する第３種換気装置であってもよい。換気装置（10）を第３種換気装置とした場合には、排気ファン（25）の給気上流側又は給気下流側にブースタファン（1）を設置すればよい。そして、コントローラ（100）において、換気装置（10）の作動要求を検出したときには、排気ファン（25）を作動させた以後に、ブースタファン（1）を作動させるようにすればよい。こうすることで、排気ファン（25）が、ブースタファン（1）の気流により空回りしている最中に起動するのを防止することができる。
【０１４６】
上記各実施形態は、ブースタファン（1）を、給気ファン（26）の給気上流側にのみ設けるようにしているが、例えば、給気ファン（26）をさらに追加して排気ファン（25）の排気下流側に設けるようにしてもよい。
【０１４７】
また、上記各実施形態は、ブースタファン（1）を給気ファン（26）の給気上流側に設けるようにしているが、給気下流側に設けるようにしてもよい。
【０１４８】
また、上記実施形態１は、換気システム（S）は、２つの換気装置（10）を有しており、上記実施形態２は、換気システム（S）は、１の換気装置（10）を有するものとされているが、これに限ったものではなく、換気システム（S）は、３つ以上の換気装置（10）を有するものであってもよい。
【０１４９】
また、上記各実施形態は、各換気装置（10）の作動状態と停止状態との切り換えを、ユーザの手動操作により行うようにしているが、これに限ったものではなく、例えば、室内（30）にＣＯ２センサを設置してその濃度に応じて換気装置（10）の作動／停止状態を切り換えるようにしてもよい。
【０１５０】
また、上記各実施形態は、塩害フィルタ（16）を設置するようにしているが、必ずしも塩害フィルタ（16）を設置した換気システム（S）である必要はない。
【産業上の利用可能性】
【０１５１】
本発明は、室内換気を行うための換気ファンを含む換気装置と、換気ファンの換気能力を補助するブースタファンと、を備えた換気システムに有用であり、特に、塩害地域等において給気通路又は排気通路に塩害フィルタを設置する場合に有用である。
【符号の説明】
【０１５２】
Ｓ      換気システム
１      ブースタファン 
１０    換気装置 
２５    排気ファン 
２６    給気ファン 
６０    ダンパ
６３    換気口（導入口）
６７    換気口（排出口）
８３    第１バイパス用ダンパ（流路切り換え機構）
１００  コントローラ
１０１  換気制御部
１０２  ブースタファン制御部
１０３  ダンパ制御部
【手続補正２】
【補正対象書類名】特許請求の範囲
【補正対象項目名】全文
【補正方法】変更
【補正の内容】
【特許請求の範囲】
【請求項１】
室外空気を室内（30）に導入するための導入口（63）と、室内空気を室外（40）に排出するための排出口（67）と、該導入口（63）から室外空気を吸い込んで室内（30）に供給するＤＣモータ駆動の給気ファン（26）を有する換気装置（10）と、
該給気ファン（26）の給気上流側又は給気下流側に配設され、該給気ファン（26）による室外空気の吸い込み力を補助するブースタファン（1）と、を備えた換気システムであって、
上記換気装置（10）の作動要求があったときに、上記給気ファン（26）を作動させる換気制御部（101）と、
上記換気装置（10）が停止状態にある場合において、該換気装置（10）の作動要求があるまでは上記ブースタファン（1）を停止させる一方、該換気装置（10）の作動要求があったときには、上記換気制御部（101）が上記給気ファン（26）を作動させた以後に上記ブースタファン（1）を作動させるブースタファン制御部（102）と、
上記ブースタファン（1）と上記換気装置（10）の給気ファン（26）との間の空気通路（61,62）に配設され、該空気通路（61,62）を開閉するダンパ（60）と、
上記換気装置（10）が停止状態にある場合において、該換気装置（10）の作動要求があったときに、該作動要求時から、上記換気制御部（101）が該換気装置（10）の給気ファン（26）を作動させるまでの間、上記ダンパ（60）を閉状態に維持する一方、該給気ファン（26）の作動以後に上記ダンパ（60）を開状態に切り換えるダンパ制御部（103）と、を備えている
ことを特徴とする換気システム。
【請求項２】
室外空気を室内（30）に導入するための導入口（63）と、室内空気を室外（40）に排出するための排出口（67）と、該導入口（63）から室外空気を吸い込んで室内（30）に供給するＤＣモータ駆動の給気ファン（26）を有する複数の換気装置（10）と、
該各給気ファン（26）の給気上流側又は給気下流側に配設され、該各給気ファン（26）による室外空気の吸い込み力を補助するブースタファン（1）と、を備えた換気システムであって、
上記複数の換気装置（10）のうち作動要求があった換気装置（10）の給気ファン（26）を作動させる換気制御部（101）と、
上記複数の換気装置（10）のうち少なくとも一つが作動状態にある場合に、上記ブースタファン（1）を作動させるブースタファン制御部（102）と、を備え、
上記ブースタファン制御部（102）は、上記複数の換気装置（10）の一部が作動している場合に、停止状態にある換気装置（10）に対して作動要求があったときには、上記換気制御部（101）が、該作動要求があった換気装置（10）の給気ファン（26）を作動させる前に、上記ブースタファン（1）を一旦停止させ、該給気ファン（26）の作動以後に該ブースタファン（1）を再作動させるように構成されている
ことを特徴とする換気システム。
【請求項３】
室外空気を室内（30）に導入するための導入口（63）と、室内空気を室外（40）に排出するための排出口（67）と、室内空気を吸い込んで該排出口（67）から室外（40）へと排出するＤＣモータ駆動の排気ファン（25）を有する換気装置（10）と、
該排気ファン（25）の排気上流側又は排気下流側に配設され、該排気ファン（25）による室内空気の吸い込み力を補助するブースタファン（1）と、を備えた換気システムであって、
上記換気装置（10）の作動要求があったときに、上記排気ファン（25）を作動させる換気制御部（101）と、
上記換気装置（10）が停止状態にある場合において、該換気装置（10）の作動要求があるまでは上記ブースタファン（1）を停止させる一方、該換気装置（10）の作動要求があったときには、上記換気制御部（101）が上記排気ファン（25）を作動させた以後に上記ブースタファン（1）を作動させるブースタファン制御部（102）と、
上記ブースタファン（1）と上記換気装置（10）の排気ファン（25）との間の空気通路（61,62）に配設され、該空気通路（61,62）を開閉するダンパ（60）と、
上記換気装置（10）が停止状態にある場合において、該換気装置（10）の作動要求があったときに、該作動要求時から、上記換気制御部（101）が上記換気装置（10）の排気ファン（25）を作動させるまでの間、上記ダンパ（60）を閉状態に維持する一方、該排気ファン（25）の作動以後に上記ダンパ（60）を開状態に切り換えるダンパ制御部（103）と、を備えている
ことを特徴とする換気システム。
【請求項４】
室外空気を室内（30）に導入するための導入口（63）と、室内空気を室外（40）に排出するための排出口（67）と、室内空気を吸い込んで該排出口（67）から室外（40）へと排出するＤＣモータ駆動の排気ファン（25）を有する複数の換気装置（10）と、
該各排気ファン（25）の排気上流側又は排気下流側に配設され、該各排気ファン（25）による室内空気の吸い込み力を補助するブースタファン（1）と、を備えた換気システムであって、
上記複数の換気装置（10）のうち作動要求があった換気装置（10）の排気ファン（25）を作動させる換気制御部（101）と、
上記複数の換気装置（10）のうち少なくとも一つが作動状態にある場合に、上記ブースタファン（1）を作動させるブースタファン制御部（102）と、を備え、
上記ブースタファン制御部（102）は、上記複数の換気装置（10）の一部が作動している場合に、停止状態にある換気装置（10）に対して作動要求があったときには、上記換気制御部（101）が、該作動要求があった換気装置（10）の排気ファン（25）を作動させる前に、上記ブースタファン（1）を一旦停止させ、該排気ファン（25）の作動以後に該ブースタファン（1）を再作動させるように構成されている
ことを特徴とする換気システム。
【請求項５】
請求項１又は３記載の換気システムにおいて、
上記換気装置（10）は、室内空気を調湿して換気する調湿換気モードと、上記室内（30）の空気を調湿せずに換気する単純換気モードとに切り換える流路切り換え機構（83）を備え、
上記ダンパ（60）は、上記流路切り換え機構（83）を構成している
ことを特徴とする換気システム。